(57)【要約】【課題】ユーザがサービス提供者に連絡を取ろうとした場合に直ちに連絡を取ることが可能となるように、ユーザに手間をかけさせること無く、当該サービス提供者の連絡先を携帯電話端末に配信して登録させる。【解決手段】複数のサービス提供者の電話番号あるいはネットワークアドレスを通信ネットワークを介して配信する電話帳サーバ１２と、インターネット１３を介して電話帳サーバ１２に接続されるとともに、ユーザの携帯電話端末１７Ａが接続され、配信された電話番号あるいはネットワークアドレスからユーザに関連する前記サービス提供者の電話番号あるいはネットワークアドレスを抽出して、携帯電話端末１７Ａに登録する店舗端末１４Ａと、を備える。【選択図】図１
2011254401.tif 000002
【特許請求の範囲】
【請求項１】
複数のサービス提供者の電話番号あるいはネットワークアドレスを通信ネットワークを介して配信するサーバと、
前記通信ネットワークを介して前記サーバに接続されるとともに、ユーザの携帯電話端末が接続され、前記配信された電話番号あるいはネットワークアドレスから前記ユーザに関連する前記サービス提供者の電話番号あるいはネットワークアドレスを抽出して、前記携帯電話端末に登録する店舗端末と、
を備えたことを特徴とする情報登録システム。
【請求項２】
請求項１記載の情報登録システムにおいて、
前記ユーザに関連する前記サービス提供者とは、前記ユーザのサービス利用予定地域においてサービスを提供可能な前記サービス提供者あるいは前記ユーザが所望するサービスを提供可能な前記サービス提供者である、
ことを特徴とする情報登録システム。
【請求項３】
請求項２記載の情報登録システムにおいて、
前記ユーザのサービス利用予定地域は、前記ユーザに指定された郵便番号、前記ユーザに指定された市外局番、前記ユーザの住所、当該ユーザの住所に対応する緯度経度情報、前記ユーザの職場住所、当該ユーザの職場住所に対応する緯度経度情報、前記店舗端末の設置住所、及び当該店舗端末の設置住所に対応する緯度経度情報のうち、少なくともいずれか一つに基づいて特定することを特徴とする情報登録システム。
【請求項４】
請求項２または請求項３のいずれか記載の情報登録システムにおいて、
前記ユーザが所望するサービスは、前記ユーザの年齢、性別、職業、趣味、嗜好、健康に関する情報、財産に関する情報、家族構成に関する情報、及び血液型等の所望サービス特定情報のうち、少なくともいずれか一つに基づいて特定することを特徴とする情報登録システム。
【請求項５】
請求項１乃至請求項４のいずれかに記載の情報登録システムにおいて、
前記サーバは、前記抽出した電話番号あるいはネットワークアドレスを登録した携帯電話端末の端末固有識別子を取得して、前記電話番号あるいは前記ネットワークアドレスの登録対象の携帯電話端末を特定して、配信管理を行うことを特徴とする情報登録システム。
【請求項６】
請求項１乃至請求項５のいずれかに記載の情報登録システムにおいて、
前記サーバは、前記電話番号あるいは前記ネットワークアドレスの登録後に、前記店舗端末からサーバに送信される前記端末固有識別子を含む成果報告に基づいて各前記サービス提供者に対応する電話番号あるいはネットワークアドレスの登録が行われたものとして、前記サービス提供者に対する課金を行うことを特徴とする情報登録システム。
【請求項７】
請求項１乃至請求項５のいずれかに記載の情報登録システムにおいて、
前記サーバは、前記電話番号あるいは前記ネットワークアドレスの登録後に、前記店舗端末からサーバに送信される前記端末固有識別子を含む成果報告に基づいて各前記サービス提供者に対応する電話番号あるいはネットワークアドレスの登録が行われたものとして、前記店舗端末を管理している支払先への登録委託費用の支払い管理を行うことを特徴とする情報登録システム。
【請求項８】
複数のサービス提供者の電話番号あるいはネットワークアドレスを通信ネットワークを介して配信するサーバに前記通信ネットワークを介して接続される情報配信端末であって、
ユーザの携帯電話端末が接続され、前記配信された電話番号あるいはネットワークアドレスから、前記ユーザのサービス利用予定地域においてサービスを提供可能な前記サービス提供者あるいは前記ユーザが所望するサービスを提供可能な前記サービス提供者に対応する電話番号あるいはネットワークアドレスを抽出して、前記携帯電話端末に登録する、
ことを特徴とする情報配信端末。
【請求項９】
請求項８記載の情報配信端末において、
前記ユーザが所望するサービスを特定するための前記ユーザの年齢、性別、職業、趣味、嗜好、健康に関する情報、財産に関する情報、家族構成に関する情報、及び血液型等の所望サービス特定情報の入力を促す画面を表示することを特徴とする情報配信端末。
【発明の詳細な説明】
【技術分野】
【０００１】
本発明は、情報配信システム及び情報配信端末に係り、特に通信ネットワーク及び情報配信端末を介して携帯電話端末に情報を配信する情報配信システム及び情報配信端末に関する。
【背景技術】
【０００２】
従来、携帯電話端末においては、電話帳機能を利用して予め電話番号を登録しておいて、読み出すことにより、発呼操作を容易にしたり、登録されている電話番号から着呼した場合には、登録されている電話番号をディスプレイに表示したりする機能が一般的に用いられている（例えば、特許文献１参照）。
また、インターネットにおいては、「お気に入り」として特定のサイトのアドレス（ＵＲＬ）を登録しておき、それらのうちからいずれかを選択することにより、容易に特定のサイトにアクセスできるようになっていた（例えば、特許文献２参照）。
【先行技術文献】
【特許文献】
【０００３】
【特許文献１】特開２００９−１４７８２８号公報
【特許文献２】特開２００８-７１２３４号公報
【発明の概要】
【発明が解決しようとする課題】
【０００４】
ところで、上記従来の電話帳機能は、ユーザが独自に携帯電話端末に電話番号を登録し、登録した電話番号を容易に読み出して、発呼できるようにしたものである。
したがって、携帯電話端末のユーザが何らかのサービスの提供を受けてみたいと考えた場合であっても、必ずしもそのサービスの提供者に携帯電話端末を用いて連絡を取れるとは限らなかった。
したがって、特に、例えば、水漏れや、鍵を紛失したなどの突然のトラブル発生の場合には、これらのトラブルに対処可能なサービス提供者に連絡を取りたくても取ることはできず、また、サービス提供者がテレビＣＭではよく見かける業者であるにもかかわらず、電話番号が思い出せなかったり、インターネットで検索しても、逆に情報が多すぎて選ぶことができなかったりという問題点が生じていた。
そこで、本発明の目的は、ユーザがサービス提供者に連絡を取ろうとした場合に直ちに連絡を取ることが可能となるように、ユーザに手間をかけさせること無く、当該サービス提供者の電話番号あるいはネットワークアドレスを携帯電話端末に配信して登録させることが可能な情報配信システム及び情報配信端末を提供することにある。
【課題を解決するための手段】
【０００５】
上記課題を解決するために、本発明の第１態様は、複数のサービス提供者の電話番号あるいはネットワークアドレスを通信ネットワークを介して配信するサーバと、前記通信ネットワークを介して前記サーバに接続されるとともに、ユーザの携帯電話端末が接続され、前記配信された電話番号あるいはネットワークアドレスから前記ユーザに関連する前記サービス提供者の電話番号あるいはネットワークアドレスを抽出して、前記携帯電話端末に登録する店舗端末と、を備えたことを特徴としている。
【０００６】
上記構成によれば、サーバは、複数のサービス提供者の電話番号あるいはネットワークアドレスを通信ネットワークを介して店舗端末に配信する。
これにより、店舗端末は、通信ネットワークを介してサーバから配信された電話番号あるいはネットワークアドレスからに関連する前記サービス提供者の電話番号あるいはネットワークアドレスを抽出して、ユーザの携帯電話端末に登録する。
したがって、ユーザは、必要とするサービスの提供者に必要なときに容易に連絡を取ることが可能となる。
【０００７】
また、本発明の第２態様は、第１態様において、前記ユーザに関連する前記サービス提供者とは、前記ユーザのサービス利用予定地域においてサービスを提供可能な前記サービス提供者あるいは前記ユーザが所望するサービスを提供可能な前記サービス提供者である、ことを特徴としている。
上記構成によれば、ユーザの携帯電話端末には、ユーザのサービス利用予定地域においてサービスを提供可能なサービス提供者あるいはユーザが所望するサービスを提供可能なサービス提供者の、電話番号あるいはネットワークアドレスが登録されているので、ユーザは、容易にサービス提供者に連絡をとって、当該ユーザのサービス利用予定地域においてサービスの提供を受け、あるいは、ユーザが所望するサービスの提供を受けることができる。
【０００８】
本発明の第３態様は、第２態様において、前記ユーザのサービス利用予定地域は、前記ユーザに指定された郵便番号、前記ユーザに指定された市外局番、前記ユーザの住所、当該住所に対応する緯度経度情報、前記ユーザの職場住所、当該ユーザの職場住所に対応する緯度経度情報、前記店舗端末の設置住所、及び当該店舗端末の設置住所に対応する緯度経度情報のうち、少なくともいずれか一つに基づいて特定することを特徴としている。
上記構成によれば、携帯電話端末に登録される電話番号あるいはネットワークアドレスは、より確実にユーザのサービス利用予定地域とすることができ、有用性が向上する。
【０００９】
本発明の第４態様は、第２態様または第３態様において、前記ユーザが所望するサービスは、前記ユーザの年齢、性別、職業、趣味、嗜好、健康に関する情報、財産に関する情報、家族構成に関する情報、及び血液型等の所望サービス特定情報のうち、少なくともいずれか一つに基づいて特定することを特徴としている。
上記構成によれば、ユーザが所望するサービスは、ユーザの年齢、性別、職業、趣味、嗜好、健康に関する情報、財産に関する情報、家族構成に関する情報、及び血液型等の所望サービス特定情報のうち、少なくともいずれかに一つに基づいて特定されるので、よりユーザが所望するサービスに対応する電話番号あるいはネットワークアドレスを配信し、登録することが可能となる。
【００１０】
本発明の第５態様によれば、第１態様乃至第４態様のいずれかにおいて、前記サーバは、前記抽出した電話番号あるいはネットワークアドレスを登録した携帯電話端末の端末固有識別子を取得して、前記電話番号あるいは前記ネットワークアドレスの登録対象の携帯電話端末を特定して、配信管理を行うことを特徴としている。
上記構成によれば、配信管理は、取得した携帯電話端末の端末固有識別子により携帯電話端末を特定して行うので、確実に配信が行われたことを把握できる。
【００１１】
本発明の第６態様によれば、第１態様乃至第５態様のいずれかにおいて、前記サーバは、前記電話番号あるいは前記ネットワークアドレスの登録後に、前記店舗端末からサーバに送信される前記端末固有識別子を含む成果報告に基づいて各前記サービス提供者に対応する電話番号あるいはネットワークアドレスの登録が行われたものとして、前記サービス提供者に対する課金を行うことを特徴としている。
上記構成によれば、登録後に店舗端末からサーバに送信される端末固有識別子を含む成果報告に基づいて各サービス提供者に対応する電話番号あるいはネットワークアドレスの登録が行われたものとしてサービス提供者に対する課金を行うので、確実に課金が行える。
【００１２】
本発明の第７態様によれば、第１態様乃至第５態様いずれかにおいて、前記サーバは、前記電話番号あるいは前記ネットワークアドレスの登録後に、前記店舗端末からサーバに送信される前記端末固有識別子を含む成果報告に基づいて各前記サービス提供者に対応する電話番号あるいはネットワークアドレスの登録が行われたものとして、前記店舗端末を管理している支払先への登録委託費用の支払い管理を行うことを特徴としている。
上記構成によれば、登録後に店舗端末からサーバに送信される端末固有識別子を含む成果報告に基づいて各サービス提供者に対応する電話番号あるいはネットワークアドレスの登録が行われたものとして、店舗端末を管理している支払先への登録委託費用の支払い管理を行うので、確実に支払先への支払いが行える。
【００１３】
本発明の第８態様によれば、複数のサービス提供者の電話番号あるいはネットワークアドレスを通信ネットワークを介して配信するサーバに前記通信ネットワークを介して接続される情報配信端末であって、ユーザの携帯電話端末が接続され、前記配信された電話番号あるいはネットワークアドレスから、前記ユーザのサービス利用予定地域においてサービスを提供可能な前記サービス提供者あるいは前記ユーザが所望するサービスを提供可能な前記サービス提供者に対応する電話番号あるいはネットワークアドレスを抽出して、前記携帯電話端末に登録する、ことを特徴とする。
上記構成によれば、情報配信端末は、ユーザのサービス利用予定地域においてサービスを提供可能なサービス提供者あるいはユーザが所望するサービスを提供可能なサービス提供者に対応する電話番号あるいはネットワークアドレスを抽出して、携帯電話端末に登録するので、ユーザは、容易にサービス提供者に連絡をとって、当該ユーザのサービス利用予定地域においてサービスの提供を受け、あるいは、ユーザが所望するサービスの提供を受けることができる。
【００１４】
本発明の第９態様は、第８態様において、前記ユーザが所望するサービスを特定するための前記ユーザの年齢、性別、職業、趣味、嗜好、健康に関する情報、財産に関する情報、家族構成に関する情報及び血液型等の所望サービス特定情報の入力を促す画面を表示する。
上記構成によれば、オペレータは、ユーザの年齢、性別、職業、趣味、嗜好、健康に関する情報、財産に関する情報、家族構成に関する情報、及び血液型等の所望サービス特定情報の入力を行うので、サーバから、ユーザが所望するサービスを提供可能なサービス提供者の電話番号あるいはネットワークアドレスを容易に取得して、配信することが可能となる。
【発明の効果】
【００１５】
本発明によれば、ユーザは、必要とするサービスの提供者に必要なときに容易に連絡を取ることができるという効果を奏する。
【図面の簡単な説明】
【００１６】
【図１】本発明の情報配信システムを電話番号登録システムとして構成した場合の概要システム構成図である
【図２】電話帳サーバの概要構成ブロック図である。
【図３】店舗端末の概要構成ブロック図である。
【図４】電話帳データベースの構成説明図である。
【図５】ユーザテーブルに格納されるユーザデータのデータフォーマットである。
【図６】広告主テーブルに格納される広告主データのデータフォーマットである。
【図７】支払先テーブルに格納される支払先データのデータフォーマットである。
【図８】店舗テーブルに格納される店舗データのデータフォーマットである。
【図９】ブックマークグループテーブルに格納されるブックマークグループデータのデータフォーマットである。
【図１０】広告テーブルに格納される広告データのデータフォーマットである。
【図１１】成果ログテーブルに格納される成果ログデータのデータフォーマットである。
【図１２】成果サマリーテーブルに格納される成果サマリーデータのデータフォーマットである。
【図１３】エラーログテーブルに格納されるエラーログデータのデータフォーマットである。
【図１４】電話帳サーバにおける電話帳管理処理の概要処理フローチャート（その１）である。
【図１５】電話帳サーバにおける電話帳管理処理の概要処理フローチャート（その２）である。
【図１６】電話帳サーバにおける電話帳管理処理の概要処理フローチャート（その３）である。
【図１７】電話帳サーバにおける電話帳管理処理の概要処理フローチャート（その４）である。
【図１８】電話帳サーバにおける電話帳管理処理の概要処理フローチャート（その５）である。
【図１９】ログイン画面の説明図である。
【図２０】電話帳データベース管理画面の説明図である。
【図２１】支払先一覧画面の一例の説明図である。
【図２２】支払先登録画面の説明図である。
【図２３】支払先更新画面の説明図である。
【図２４】支払先削除画面の説明図である。
【図２５】店舗一覧画面の一例の説明図である。
【図２６】店舗登録画面の説明図である。
【図２７】店舗更新画面の説明図である。
【図２８】店舗削除画面の説明図である。
【図２９】広告主一覧画面の一例の説明図である。
【図３０】広告主登録画面の説明図である。
【図３１】店舗更新画面の説明図である。
【図３２】広告主削除画面の説明図である。
【図３３】ブックマークグループ一覧画面の一例の説明図である。
【図３４】ブックマークグループ登録画面の説明図である。
【図３５】ブックマークグループ更新画面の説明図である。
【図３６】ブックマークグループ削除画面の説明図である。
【図３７】電話帳広告一覧画面の説明図である。
【図３８】電話帳広告登録画面の説明図である。
【図３９】電話帳広告更新画面の説明図である。
【図４０】電話帳広告削除画面の説明図である。
【図４１】ブックマーク広告一覧画面の説明図である。
【図４２】ブックマーク広告登録画面の説明図である。
【図４３】ブックマーク広告更新画面の説明図である。
【図４４】ブックマーク広告削除画面の説明図である。
【図４５】電話帳広告設定一覧の表示例の説明図である。
【図４６】電話帳広告詳細設定一覧の表示例の説明図である。
【図４７】ブックマーク広告設定一覧の表示例の説明図である。
【図４８】ブックマーク広告詳細設定一覧の表示例の説明図である。
【図４９】実施形態のシーケンスフローチャート（その１）である。
【図５０】実施形態のシーケンスフローチャート（その２）である。
【図５１】店舗端末におけるユーザ登録画面の一例の説明図である。
【図５２】広告主別レポート画面の説明図である。
【図５３】支払先別レポート画面の説明図である。
【図５４】データ登録後の携帯電話端末の検索画面の説明図である。
【図５５】画面移行後の携帯電話端末の画面説明図である。
【図５６】ブックマークグループ選択画面の画面説明図である。
【図５７】ブックマーク広告の一覧の表示説明図である。
【発明を実施するための形態】
【００１７】
次に本発明の好適な実施の形態について、図面を参照して説明する。
図１は、本発明の情報配信システムを電話番号登録システムとして構成した場合の概要システム構成図である。
電話番号登録システム１０は、大別すると、電話帳データベース（ＤＢ）１１を有し、電話番号の登録に関わる管理を行う電話帳サーバ１２と、電話帳サーバ１２にインターネット１３を介して接続され、店舗Ａに配置された店舗端末１４Ａ、１４Ｂと、電話帳サーバ１２にインターネット１３を介して接続され、店舗Ｂに配置された店舗端末１５と、を備えている。
さらに店舗端末１４Ａには、ケーブル１６Ａを介して電話番号の登録を行う携帯電話端末１７Ａが接続され、店舗端末１４Ｂには、ケーブル１６Ｂを介して電話番号の登録を行う携帯電話端末１７Ｂが接続され、店舗端末１５には、ケーブル１６Ｃを介して電話番号の登録を行う携帯電話端末１７Ｃが接続されている。
【００１８】
図２は、電話帳サーバの概要構成ブロック図である。
電話帳サーバ１２は、パーソナルコンピュータと同様に構成されており、電話帳サーバ１２を中枢的に制御するＭＰＵ４１と、ＭＰＵ４１が動作するためのプログラムなどを記憶しているＲＯＭ４２と、各種データを一時的に記憶するワークテーブルとしてのＲＡＭ４３と、データ入力などを行うためのキーボードやマウスなどで構成された入力装置４４と、各種情報を表示するディスプレイ４５と、各種外部機器との間のインタフェース動作を行うインタフェース部４６と、後述する各種データベースなどのデータを記憶するハードディスクドライブ装置などの外部記憶装置４７と、各種情報をプリントアウトするプリンタ４８と、インターネット１３及び電話帳管理データベースに所定の通信プロトコルで接続される通信インタフェース部４９と、を備えている。
【００１９】
図３は、店舗端末の概要構成ブロック図である。
店舗端末１４Ａ、１４Ｂ、１５は、同一構成であるので、店舗端末１４Ａを例として説明する。
店舗端末１４Ａは、パーソナルコンピュータと同様に構成されており、電話帳サーバ１２を中枢的に制御するＭＰＵ５１と、ＭＰＵ５１が動作するためのプログラムなどを記憶しているＲＯＭ５２と、各種データを一時的に記憶するワークテーブルとしてのＲＡＭ５３と、データ入力などを行うためのキーボードやマウスなどで構成された入力装置５４と、各種情報を表示するディスプレイ５５と、各種外部機器との間のインタフェース動作を行うインタフェース部５６と、後述する各種データベースなどのデータを記憶するハードディスクドライブ（ＨＤＤ）５７と、各種情報をプリントアウトするプリンタ５８と、インターネット１３に所定の通信プロトコルで接続される通信インタフェース部５９と、を備えている。
【００２０】
図４は、電話帳データベースの構成説明図である。
次に電話帳データベースについて説明する。
まず、電話帳データベースの構成について説明する。
電話帳データベース１１は、大別すると、ユーザに関するデータであるユーザデータが格納されたユーザテーブル２１、広告主に関するデータである広告主データが格納された広告主テーブル２２、支払先に関するデータである支払先データが格納された支払先テーブル２３、電話番号を実際に携帯電話端末へ登録する処理を行う店舗に関するデータである店舗データが格納された店舗テーブル２４、ブックマークグループテーブル２５、広告テーブル２６、成果ログテーブル２７、成果サマリーテーブル２８、エラーログテーブル２９を備えている。
ここで、広告主とは、ユーザに各種サービスを提供するサービス提供者と同一の者、あるいは、実際のサービス提供者を管理して、サービス提供者に代わって当該サービス提供者の広告を行う者を言う（以下、同様）。例えば、フランチャイザーが広告主となり、フランチャイザーの広告を行うこととなる。
【００２１】
図５は、ユーザテーブル２１（図４参照）に格納されるユーザデータ３１のデータフォーマットである。
ユーザデータ３１は、店舗端末１４Ａ、１４Ｂ、１５において、ユーザの指示に基づいて入力され、インターネット１３を介して電話帳サーバ１２に登録されるデータである。
ユーザテーブル２１には、複数のユーザに対応するユーザデータ３１が登録されており、ユーザデータ３１は、当該ユーザデータ３１を特定するためのＩＤを格納したＩＤフィールド３１Ａと、ユーザがログインするためのログインＩＤを格納したログインＩＤフィールド３１Ｂと、ユーザがログイン時に入力するパスワードを格納したパスワードフィールド３１Ｃと、ユーザの名称を格納した名称フィールド３１Ｄと、ユーザの郵便番号を格納した郵便番号フィールド３１Ｅと、ユーザの所在地の都道府県名を格納する都道府県フィールド３１Ｆと、ユーザの所在地の住所を格納した住所フィールド３１Ｇと、ユーザの電話番号を格納した電話番号フィールド３１Ｈと、ユーザのファックス番号を格納したファックス番号フィールド３１Ｉと、ユーザが所望する提供サービスを特定するための情報である所望サービス特定情報などの各種情報を格納したメモフィールド３１Ｊと、当該ユーザの種別を表すロール種別を格納したロール種別フィールド３１Ｋと、当該ユーザの状態を表すステータス情報フィールド３１Ｌと、当該ユーザを処理対象から削除（無効と）した場合にフラグがセットされる削除フラグフィールド３１Ｍと、当該ユーザデータ３１の作成日を表す作成日フィールド３１Ｎと、当該ユーザデータ３１の内容の更新を行った更新日を表す更新日フィールド３１Ｏと、を備えている。
【００２２】
この場合において、郵便番号フィールド３１Ｅ、都道府県フィールド３１Ｆ、住所フィールド３１Ｇ、電話番号フィールド３１Ｈおよびファックス番号フィールド３１Ｉは、それぞれ複数のデータを格納可能として、ユーザの自宅および職場など複数箇所のデータを登録できるようにしてもよい。ここで、住所フィールド３１Ｇには、経度緯度情報を含めるようにしても良く、この場合には、ユーザの自宅および職場など複数箇所のデータを登録する場合には、各データについて経度緯度情報を含めるようにしても良い。より詳細には、通常の住所情報に加えて、以降が経度緯度情報であることを表すセパレータ（データ分離用パラメータ）とともに、経度緯度情報を格納することとなる。なお、経度緯度情報は、入力された住所情報に基づいて、自動的に付与するように構成することも可能である。
さらに、ユーザの自宅および職場など複数箇所のデータに加えて、ユーザデータ３１を登録した店舗端末（例えば、店舗端末１４Ａ）の設置住所及びこの設置住所に対応する緯度経度情報を格納するようにしてもよい。これは、当該店舗端末がユーザがよく利用する地域にあると考えられるからである。この場合において、店舗端末の設置住所に対応する緯度経度情報は、例えば、ユーザの自宅および職場など複数箇所のデータの後に、以降が店舗端末の設置住所に対応する緯度経度情報であることを表すセパレータ（データ分離用パラメータ）とともに、格納されることとなる。なお、登録される店舗端末の設置住所に対応する緯度経度情報は、予め当該店舗端末に登録されているのが好ましいが、電話帳サーバ１２が店舗端末を識別して、予め店舗データ３４に登録しておいた店舗端末の設置住所及びこの設置住所に対応する緯度経度情報を抽出して、住所フィールド３１Ｇに記録するようにすることも可能である。
【００２３】
また、メモフィールド３１Ｊに格納される所望サービス特定情報としては、例えば、ユーザの年齢、性別、職業、趣味、嗜好、健康に関する情報、財産に関する情報、家族構成、及び血液型等が格納されることとなる。ここで、健康に関する情報としては、プライバシー保護の観点から病名などではなく、特定の種類の健康食品への興味の有無、特定の種類の健康器具への興味の有無などが健康関連情報コードあるいはキーワード等として格納され、財産に関する情報としては、株や証券等の金融商品への興味の有無、金やプラチナなどの貴金属の取引への興味の有無等が財産関連情報コードあるいはキーワード等として格納され、家族構成に関する情報としては、独身、夫婦、夫婦＋子供、さらに加えて同居している他の家族（両親など）の有無等が家族構成特定情報コードあるいはキーワード等として格納され、血液型を表す血液型情報コードが格納される。
【００２４】
図６は、広告主テーブル２２（図４参照）に格納される広告主データ３２のデータフォーマットである。
広告主テーブル２２には、複数の広告主に対応する広告主データ３２が登録されており、広告主データ３２は、当該広告主データ３２を特定するためのＩＤを格納したＩＤフィールド３２Ａと、広告主の名称を格納した名称フィールド３２Ｂと、広告主の郵便番号を格納した郵便番号フィールド３２Ｃと、広告主の所在地の都道府県名を格納する都道府県フィールド３２Ｄと、広告主の所在地の住所を格納した住所フィールド３２Ｅと、広告主の電話番号を格納した電話番号フィールド３２Ｆと、広告主のファックス番号を格納したファックス番号フィールド３２Ｇと、メモフィールド３２Ｈと、当該広告主の状態を表すステータス情報フィールド３２Ｉと、当該広告主を削除した場合にフラグがセットされる削除フラグフィールド３２Ｊと、当該広告主データ３２の作成日を表す作成日フィールド３２Ｋと、当該広告主データ３２の内容の更新を行った更新日を表す更新日フィールド３２Ｌと、を備えている。
【００２５】
図７は、支払先テーブル２３（図４参照）に格納される支払先データ３３のデータフォーマットである。
支払先テーブル２３には、複数の支払先（例えば、店舗）に対応する支払先データ３３が登録されており、支払先データ３３は、支払先毎に割り当てられたＩＤを格納したＩＤフィールド３３Ａと、支払先の名称を格納した名称フィールド３２Ｂと、支払先の郵便番号を格納した郵便番号フィールド３３Ｃと、支払先の所在地の都道府県名を格納する都道府県フィールド３３Ｄと、支払先の所在地の住所を格納した住所フィールド３２Ｅと、支払先の電話番号を格納した電話番号フィールド３３Ｆと、支払先のファックス番号を格納したファックス番号フィールド３３Ｇと、メモフィールド３３Ｈと、当該支払先の状態を表すステータス情報フィールド３３Ｉと、当該支払先を処理対象から削除（無効と）した場合にセットされる削除フラグフィールド３３Ｊと、当該支払先データ３３の作成日を表す作成日フィールド３３Ｋと、当該支払先データ３３の内容の更新を行った更新日を表す更新日フィールド３３Ｌと、を備えている。
【００２６】
図８は、店舗テーブル２４（図４参照）に格納される店舗データ３４のデータフォーマットである。
店舗テーブル２４には、複数の店舗に対応する店舗データ３４が格納されており、店舗データ３４は、店舗データ３４毎に割り当てられたＩＤを格納したＩＤフィールド３４Ａと、所定の店舗検索サイトで当該店舗に関する情報に割り当てられた検索用店舗ＩＤ番号を入力する検索ＩＤフィールド３４Ｂと、当該店舗に対応する報酬支払先を特定するための支払先ＩＤを格納した支払先ＩＤフィールド３４Ｃと、店舗の名称を格納した名称フィールド３４Ｄと、販売キャリアが格納された販売キャリアフィールド３４Ｅと、店舗の郵便番号を格納した郵便番号フィールドと３４Ｆと、店舗の所在地の都道府県名を格納する都道府県フィールド３４Ｇと、店舗の所在位置の住所を格納した住所フィールド３４Ｈと、店舗の電話番号を格納した電話番号フィールド３４Ｉと、店舗のファックス番号を格納したファックス番号フィールド３４Ｊと、メモフィールド３４Ｋと、当該店舗の状態を表すステータスフィールド３４Ｌと、当該店舗を処理対象から削除（無効と）した場合にセットされる削除フラグフィールド３４Ｍと、当該店舗データ３４の作成日を表す作成日フィールド３４Ｎと、当該店舗データ３４の内容の更新を行った更新日を表す更新日フィールド３４Ｏと、を備えている。
【００２７】
図９は、ブックマークグループテーブル２５（図４参照）に格納されるブックマークグループデータ３５のデータフォーマットである。
ブックマークグループテーブル２５には、ブックマークグループテーブルに関する複数のブックマークグループテーブルデータ３５が格納されており、ブックマークグループテーブルデータ３５毎に割り当てられたＩＤを格納したＩＤフィールド３５Ａと、ブックマークグループの名称を格納した名称フィールド３５Ｂと、当該ブックマークテーブルデータの状態を表すステータスフィールド３５Ｃと、当該ブックマークグループデータ３５を処理対象から削除（無効と）した場合にセットされる削除フラグフィールド３５Ｄと、当該ブックマークグループテーブルデータ３５の作成日を表す作成日フィールド３５Ｅと、当該ブックマークグループテーブルデータ３５の内容の更新を行った更新日を表す更新日フィールド３５Ｆと、を備えている。
【００２８】
図１０は、広告テーブル２６（図４参照）に格納される広告データ３６のデータフォーマットである。
ここで、広告とは、携帯電話端末１７Ａ〜１７Ｃに登録される電話番号やネットワークアドレス（ＵＲＬ）を含む情報を言う。そして、これらは、登録されることにより広告主に対して携帯電話のユーザがサービスの提供を希望する旨の連絡をとることが期待される広告としての機能を有する情報である。そして、サービス提供者の電話番号に関する情報は、電話帳広告として管理され、サービス提供者のネットワークアドレスに関する情報はブックマーク広告として管理される。このブックマーク広告は、ブックマークグループ毎に管理されており、一または複数のネットワークアドレスが、一のブックマークグループに属している。各ブックマークグループは、同一あるいは同様の提供サービス毎に設定したり、相異なる複数の提供サービスについて設定することが可能である。
【００２９】
広告テーブル２６には、複数の広告データ３６が格納されており、広告毎に割り当てられたＩＤを格納したＩＤフィールド３６Ａと、広告の種別を格納した広告種別フィールド３６Ｂと、電話帳広告及びブックマーク広告の名称を格納した広告名称フィールド３６Ｃと、広告名称に対する振り仮名を格納した振り仮名フィールド３６Ｄと、広告の広告主を特定するための広告主ＩＤを格納した広告主ＩＤフィールド３６Ｅと、広告の配信対象の都道府県（市町村）を格納する配信都道府県フィールド３６Ｆと、販売キャリアに関する情報を格納した販売キャリアフィールド３６Ｇと、当該広告を格納すべき電話帳の種別を格納した電話帳種別フィールド３６Ｈと、第１の通信キャリアに対応する無料あるいは有料の電話番号を格納した第１キャリア電話番号フィールド３６Ｉと、第２の通信キャリアに対応する無料あるいは有料の電話番号を格納した第２キャリア電話番号フィールド３６Ｊと、第３の通信キャリアに対応する無料あるいは有料の電話番号を格納した第３キャリア電話番号フィールド３６Ｋと、電話帳広告あるいはブックマーク広告の配信対象に関する情報等が格納されたメモフィールド３６Ｌと、を備えている。
【００３０】
ここで、メモフィールド３６Ｌに格納される配信対象に関する情報としては、広告配信対象のユーザの住所、ユーザの職場住所あるいは店舗端末１４Ａの設置住所などを参照して、広告配信対象地域を特定するために、都道府県名、市町村名、丁目、番地、緯度経度範囲を指定する広告配信地域情報や、広告配信対象のユーザの年齢層あるいは年齢に関する情報、性別を特定する情報、職業を特定する情報、趣味を特定する情報、嗜好を特定する情報、ユーザが興味を持っている健康に関する情報、ユーザが興味を持っている財産に関する情報、家族構成に関する情報、ユーザの血液型に関する情報などが挙げられる。
なお、広告配信地域情報としては、郵便番号、市外局番等を登録しておくことも可能である。
【００３１】
さらに広告テーブル２６の広告データ３６は、ネットワークアドレスであるＵＲＬの種別を格納したＵＲＬ種別フィールド３６Ｍと、第１の通信キャリアに対応するＵＲＬを格納した第１キャリアＵＲＬフィールド３６Ｎと、第２の通信キャリアに対応するＵＲＬを格納した第２キャリアＵＲＬフィールド３６Ｏと、第３の通信キャリアに対応するＵＲＬを格納した第３キャリアＵＲＬフィールド３６Ｐと、当該広告データ３６が属するグループ（フォルダ）に関する情報を格納したグループ（フォルダ）フィールド３６Ｑと、当該広告データ３６の掲載期間の開始日を格納した掲載期間（開始）フィールド３６Ｒと、当該広告データ３６の掲載期間の終了日を格納した掲載期間（終了）フィールド３６Ｓと、当該広告データ３６の表示優先度を格納した表示優先度フィールド３６Ｔと、当該広告データ３６を処理対象から削除（無効と）した場合にセットされる削除フラグフィールド３６Ｕと、当該広告データ３６の作成日を表す作成日フィールド３６Ｖと、当該広告データ３６の内容の更新を行った更新日を表す更新日フィールド３６Ｗと、を備えている。
【００３２】
ここで、広告名称フィールド３６Ｃは、電話帳広告とブックマーク広告とで同一の名称を格納しても良いし、別個の名称を格納しても良い。
また、メモフィールド３６Ｌは、ユーザが所望する提供サービスを特定するための情報である所望サービス特定情報を格納したユーザデータ３１のメモフィールド３１Ｊと対応づけられており、広告主が配信対象とするユーザを特定するために所望サービス特定情報と同一の情報コード、キーワードなどが格納されている。具体的には、広告配信対象のユーザの年齢層あるいは年齢を表す年齢情報コード、性別を特定する性別情報コード、職業を特定する職業情報コードあるいはキーワード、趣味を特定する趣味情報コードあるいはキーワード、嗜好を特定する嗜好情報コードあるいはキーワード、ユーザが興味を持っている健康に関する情報を特定する健康関連情報コードあるいはキーワード、ユーザが興味を持っている財産に関する情報を特定する財産関連情報コードあるいはキーワード、家族構成を特定する家族構成特定コードあるいはキーワード、及び血液型を表す血液型情報コード等として格納されている。
この結果、ユーザが望むサービスに対応する電話番号やネットワークアドレスを配信することが可能となり、ユーザの利便性を向上させることができる。
【００３３】
図１１は、成果ログテーブル２７（図４参照）に格納される成果ログデータ３７のデータフォーマットである。
成果ログテーブル２７には、各店舗毎、かつ、広告毎に複数の成果ログデータ３７が格納されており、成果ログデータ３７は、当該成果ログデータ３７を特定するためのＩＤを格納したＩＤフィールド３７Ａと、当該成果ログデータ３７が対応する店舗を特定するための店舗ＩＤを格納した店舗ＩＤフィールド３７Ｂと、当該成果ログデータ３７が対応する広告を特定するための広告ＩＤを格納した広告ＩＤフィールド３７Ｃと、当該広告ＩＤフィールド３７Ｃで特定される広告をダウンロードした携帯電話端末のキャリア種別を特定するためのキャリア種別フィールド３７Ｄと、当該広告ＩＤフィールド３７Ｃで特定される広告をダウンロードした携帯電話端末の端末固有識別子（ＵＩＤ）を特定するための端末固有識別子フィールド３７Ｅと、当該広告ＩＤフィールド３７Ｂで特定される広告のログ処理状況を表すログ処理状況フィールド３７Ｆと、当該成果ログデータ３７の作成日を表す作成日フィールド３７Ｇと、当該成果ログデータ３７の内容の更新を行った更新日を表す更新日フィールド３７Ｈと、を備えている。
【００３４】
図１２に、成果サマリーテーブル２８（図４参照）に格納される成果サマリーデータ３８のデータフォーマットを示す。
成果サマリーテーブル２８には、支払先毎に、店舗、広告主及び広告で分類して、電話帳登録結果をまとめた成果サマリーデータ３８が格納されており、成果サマリーデータ３８は、当該成果サマリーテーブルデータ３８を特定するためのＩＤを格納したＩＤフィールド３８Ａと、支払先を特定するための支払先ＩＤを格納した支払先ＩＤフィールド３８Ｂと、店舗を特定するための店舗ＩＤを格納した店舗ＩＤフィールド３８Ｃと、広告主を特定するための広告主ＩＤフィールド３８Ｄと、当該成果サマリーテーブルデータ３８が対応する広告を特定するための広告ＩＤを格納した広告ＩＤフィールド３８Ｄと、当該広告ＩＤで特定される広告の種別を表す広告種別フィールド３８Ｅと、第１キャリアにおける成果数を格納した第１キャリア成果数フィールド３８Ｆと、第２キャリアにおける成果数を格納した第２キャリア成果数フィールド３８Ｇと、第３キャリアにおける成果数を格納した第３キャリア成果数フィールド３８Ｈと、当該成果サマリーテーブルの集計日を表す集計日フィールド３８Ｉと、当該成果サマリーテーブルデータ３８の作成日を表す作成日フィールド３８Ｊと、当該成果サマリーテーブルデータ３８の内容の更新を行った更新日を表す更新日フィールド３８Ｋと、を備えている。
【００３５】
図１３は、エラーログテーブル２９（図４参照）に格納されるエラーログデータ３９のデータフォーマットである。
エラーログテーブル２９には、広告主毎、かつ、広告毎に複数のエラーログデータ３９が格納されており、エラーログデータ３９は、当該エラーログデータ３９を特定するためのＩＤを格納したＩＤフィールド３９Ａと、当該エラーログデータ３９が対応する広告主を特定するための広告主ＩＤを格納した広告主ＩＤフィールド３９Ｂと、当該エラーログデータ３７が対応する広告を特定するための広告ＩＤを格納した広告ＩＤフィールド３９Ｃと、当該広告ＩＤフィールド３７Ｃで特定される広告をダウンロードした携帯電話端末のキャリア種別を特定するためのキャリア種別フィールド３９Ｄと、当該広告ＩＤフィールド３９Ｃで特定される広告をダウンロードした携帯電話端末の端末固有識別子（ＵＩＤ）を特定するための端末固有識別子フィールド３９Ｅと、当該広告ＩＤフィールド３７Ｂで特定される広告のエラー状況を特定するためのエラーＩＤを格納するエラーＩＤフィールド３９Ｆと、当該エラーログデータ３９の作成日を表す作成日フィールド３９Ｇと、当該エラーログデータ３９の内容の更新を行った更新日を表す更新日フィールド３９Ｈと、を備えている。
ここで、エラーＩＤの内容としては、電話番号サーバ側のエラー内容である「パラメータが異なる、または未設定」、「指定された店舗コードが無効」、「データベース更新エラーなどデータ不整合」等、店舗端末側のエラー内容である「レスポンスパラメータ不正」、「レスポンス情報に異常発生」、「電話帳情報が異常」、「ブックマーク情報が異常」、「携帯電話端末への登録時にエラー発生」等が挙げられる。
【００３６】
次に実施形態の動作について説明する。
図１４は、電話帳サーバ１２における電話帳管理処理の概要処理フローチャート（その１）である。
図１５は、電話帳サーバ１２における電話帳管理処理の概要処理フローチャート（その２）である。
図１６は、電話帳サーバ１２における電話帳管理処理の概要処理フローチャート（その３）である。
図１７は、電話帳サーバ１２における電話帳管理処理の概要処理フローチャート（その４）である。
図１８は、電話帳サーバ１２における電話帳管理処理の概要処理フローチャート（その５）である。
【００３７】
まず、電話帳サーバ１２のオペレータは、ログインを行う（ステップＳ１１）。
図１９は、ログイン画面の説明図である。
ログインする際には、図１９に示すように、電話帳サーバ１２のディスプレイ４５に表示されたログイン画面４１において、入力装置４４を用いて、予め設定されたログインＩＤをログインＩＤ入力欄４２において入力し、予め設定されたパスワードをパスワード入力欄４３において入力し、ログインボタン４４をクリックする。
【００３８】
図２０は、電話帳データベース管理画面の説明図である。
入力されたログインＩＤ及びパスワードが正規なものであることが確認されると、電話帳サーバ１２のＭＰＵ４１は、図２０に示すように、電話帳データベース管理画面を表示する（ステップＳ１２）。
電話帳データベース管理画面６０は、大別すると、メニュー表示及びメニュー選択を行うメニュー選択表示領域６１と、各種作業を行うための作業領域６２と、を備えている。
メニュー選択表示領域６１には、電話帳データベースを管理する管理者の情報を変更する管理者情報変更処理を選択するための管理者情報変更ボタン６５と、ブックマークグループ管理処理を選択するためのブックマークグループ管理ボタン６６と、広告主に関する情報を管理する広告主管理処理を選択するための広告主管理ボタン６７と、電話帳広告に関連する情報を管理する電話帳広告管理処理を選択するための電話帳広告管理ボタン６８と、ブックマーク広告に関連する情報を管理するブックマーク広告管理処理を選択するためのブックマーク広告管理ボタン６９と、電話帳データの配信に関する設定を行うための電話帳配信設定一覧処理を選択するための電話帳配信設定一覧ボタン７０と、が配置されている。
【００３９】
さらにメニュー選択表示領域６１には、ブックマークデータの配信に関する設定を行うためのブックマーク配信設定一覧処理を選択するためのブックマーク配信設定一覧処理７１と、電話帳データの配信による対価を支払う支払先に関する情報を管理する支払先管理処理を選択するための支払先管理ボタン７２と、電話帳データを携帯電話端末への登録を実際に行う店舗端末を設置した店舗に関する情報を管理する店舗管理処理を選択するための店舗管理ボタン７３と、電話帳データの配信元である広告主毎に携帯電話キャリア毎の広告の配信数などを集計等するための広告主別レポート処理を選択するための広告主別レポートボタン７４と、電話帳データの配信による対価を支払う支払先毎に携帯電話キャリア毎の広告の配信数などを集計等するための支払先別レポート処理を選択するための支払先別レポートボタン７５と、電話帳データベースからログアウトするためのログアウトボタン７６と、が配置されている。これらのボタンは、クリックすることにより選択がなされる。
【００４０】
電話帳データベース管理画面６０において、オペレータが処理を選択すると（ステップＳ１３）、ＭＰＵ４１は、支払先管理処理が選択されたか否かを判別する（ステップＳ１４）。ここで、支払先とは、登録委託を受けて、電話番号を携帯電話端末に登録する業務を行う店舗の経営主体の法人などをいい、電話番号を登録したことによる登録委託費用の支払い（広告費）を受け取る対象である。
具体的な選択処理としては、ＭＰＵ４１は、支払先管理ボタン７２がクリックされたか否かを判別することとなる。
ステップＳ１４の判別において、支払先管理ボタン７２がクリックされ、支払先管理処理が選択された場合には（ステップＳ１４；Ｙｅｓ）、支払先の設定処理に移行し、支払先一覧画面６０Ａを表示する（ステップＳ１５）。
【００４１】
続いてＭＰＵ４１は、支払先一覧表示中にオペレータによる支払先設定内容を判別する（ステップＳ１６）。
この場合において、支払先一覧表示中にオペレータにより設定可能な設定内容としては、新たな支払先を登録する支払先登録、既に登録されている支払先に関する情報を更新（変更）する支払先更新及び既に登録されている支払先を削除する支払先削除である。
【００４２】
まず、支払先登録処理について説明する。
図２１は、支払先一覧画面の一例の説明図である。
支払先一覧画面６０Ａは、図２１に示すように、上部に支払先検索入力領域７６が配置され、下部には、支払先一覧リスト表示領域７７が設けられている。
支払先検索入力領域７６には、支払先のＩＤがわかる場合に入力するＩＤ入力ボックス８１と、前方一致検索を行う支払先の名称を入力する名称入力ボックス８２と、当該支払先が有効であるか否かのステータスを入力するためのチェックボックス８３と、検索開始を指示する検索ボタン８４と、支払先を新規登録するための新規登録ボタン８５と、が配置されている。
【００４３】
支払先一覧リスト表示領域７７には、支払先テーブル２３を参照して支払先の一覧が表示され、ＩＤを表示するＩＤ表示領域８６と、ステータスを表示するステータス表示領域８７と、支払先の名称を表示する名称表示領域８８と、支払先の郵便番号が表示される郵便番号表示領域８９と、支払先の住所を表示する住所表示領域９０と、対応する支払先の削除を指示する削除ボタン９１Ａが表示された削除指示領域９１と、を備えている。
【００４４】
オペレータによる操作として、支払先一覧リストが表示されている状態で、新規登録ボタン８５をクリックすることにより支払先登録処理を選択すると、支払先登録画面が表示され、支払先登録処理に移行することとなる（ステップＳ１７）。
【００４５】
図２２は、支払先登録画面の説明図である。
支払先登録画面６０Ｂは、大別すると支払先情報入力領域９５と、支払先情報入力領域に設定した情報を確定し、電話帳データベース１１に登録するために、管理画面にログインするための情報を入力する管理画面ログイン情報領域９６と、を備えている。
支払先登録画面６０Ｂの支払先情報入力領域９５には、ＩＤが自動的に表示されるＩＤ表示領域１０１と、支払先名称を入力する支払先名称入力ボックス１０２と、支払先の郵便番号を入力する郵便番号入力領域１０３と、支払先の住所のうち都道府県名を選択入力するための都道府県名選択ボックス１０４と、支払先の住所のうち都道府県名を除く部分を入力するための住所入力ボックス１０５と、支払先の電話番号を入力する電話番号入力ボックスと、支払先のファックス番号を入力するファックス番号入力ボックス１０６と、当該支払先が有効か否かを表すステータス情報を選択するステータスチェックボックス１０７と、備考として記入すべき各種情報を記載するメモ入力ボックス１０８と、が配置されている。
【００４６】
管理画面ログイン情報領域９６には、ログインＩＤを入力するためのログインＩＤ入力領域１０９と、パスワードを入力するためのパスワード領域１１０と、支払先情報入力領域９５に入力した情報を確定するための確認ボタン１１１と、が配置されている。
これにより、オペレータは、支払先名称、郵便番号、都道府県名、住所、電話番号、ファックス番号及び備考情報を入力し、ステータスを有効とし、ログインＩＤ及びパスワードを入力した状態で確認ボタンをクリックすることで、それらの情報が電話帳データベース１１に登録されることとなる。
【００４７】
図２３は、支払先更新画面の説明図である。
また、オペレータによる操作として、支払先一覧リストが表示されている状態で、ＩＤ入力ボックス８１に対するＩＤの入力、名称入力ボックス８２への支払先名称の入力あるいは、チェックボックス８３へのチェックの入力のいずれか少なくとも一つを行った上で、検索ボタン８４をクリックし、対応する支払先情報が存在する場合には、ディスプレイ４５の表示画面には、後述する支払先更新画面６０Ｃが表示され、支払先更新処理に移行することとなる（ステップＳ１８）。
支払先更新画面６０Ｃは、基本的に図２２に示した支払先登録画面と同一であるが、既に情報が入力された状態で表示される点が異なっており、オペレータは、支払先名称、郵便番号、都道府県名、住所、電話番号、ファックス番号、ステータス及び備考情報のうち、更新が必要な情報を入力し、ログインＩＤ及びパスワードを入力した状態で確認ボタン１２５をクリックすることで、それらの情報が電話帳データベース１１上で更新されることとなる。
【００４８】
図２４は、支払先削除画面の説明図である。
また、オペレータによる操作として、支払先一覧画面６０Ａにおいて支払先一覧リストが表示されている状態で、いずれかの削除ボタン９１Ａをクリックすることにより、当該削除ボタン９１Ａに対応する支払先の支払先削除処理を行うための支払先削除画面６０Ｄが表示され、支払先削除処理に移行することとなる（ステップＳ１９）。
【００４９】
支払先削除画面６０Ｄは、支払先情報表示・削除領域１３０を備えており、この支払先情報表示・削除領域１３０には、ＩＤが自動的に表示されるＩＤ表示領域１３１と、支払先名称が自動的に表示される支払先名称表示領域１３２と、支払先の郵便番号が自動的に表示される郵便番号表示領域１３３と、支払先の住所のうち都道府県名が自動的に表示される都道府県名表示領域１３４と、支払先の住所のうち都道府県名を除く部分が自動的に表示される住所表示領域１３５と、支払先の電話番号が自動的に表示される電話番号表示領域１３６と、支払先のファックス番号が自動的に表示されるファックス番号表示領域１３６と、当該支払先が有効か否かを表すステータス情報が自動的に表示されるステータス表示領域１３７と、備考として記入された各種情報が自動的に表示されるメモ表示領域１３８と、これらの表示領域１３１〜１３８に表示された内容に基づいて、オペレータが当該支払先の削除を指示するための削除ボタン１３９と、当該支払先の削除を行わずに支払先一覧画面６０Ａの支払先一覧リストの表示状態に戻るための前に戻るボタン１４０と、が配置されている。
【００５０】
これらの結果、確実に削除対象の支払先情報を確認して、削除を行うことができる。
この場合において、削除ボタン１３９がクリックされた場合には、直ちにデータの削除を行うのではなく、再度削除確認の表示を行った後に実際の削除を行うようにしてもよい。
また、実際に削除を行うのではなく、ステータスを無効にするようにし、ステータスが無効の状態で再度削除処理を行った場合に、同様に実際のデータの削除を行うようにしてもよい。この場合においても、削除ボタン１３９がクリックされた場合には、直ちにデータの削除を行うのではなく、再度削除確認の表示を行った後に実際の削除を行うようにすることが可能である。
上述した支払先登録処理（ステップＳ１７）、支払先更新処理（ステップＳ１８）及び支払先削除処理（ステップＳ１９）の支払先設定処理と並行して、ＭＰＵ４１は、支払先設定処理が完了したか否かを常時判別を行っている（ステップＳ２０）。
ステップＳ２０の判別において、未だ支払先設定処理が完了していない場合には（ステップＳ２０；Ｎｏ）、再びステップＳ１６に処理を移行して、以下、同様の処理を行う。
【００５１】
一方、ステップＳ２０の判別において支払先設定処理が完了した場合には（ステップＳ２０；Ｙｅｓ）、図１５に示すように、ＭＰＵ４１は、店舗管理処理が選択されたか否かを判別する（ステップＳ２１）。ここで、店舗とは、電話番号あるいはネットワークアドレスを携帯電話端末に登録する店舗をいい、店舗端末を保有している対象である。具体的には、図１に示したように、店舗端末１４Ａ、１４Ｂを保有している店舗Ａあるいは店舗端末１５を保有している店舗Ｂをいう。
【００５２】
具体的な選択処理としては、ＭＰＵ４１は、店舗管理ボタン７３がクリックされたか否かを判別することとなる。
ステップＳ２１の判別において、店舗管理ボタン７３がクリックされ、店舗管理処理が選択された場合には（ステップＳ２１；Ｙｅｓ）、店舗の設定処理に移行し、店舗一覧画面６０Ｅを表示する（ステップＳ２２）。
【００５３】
続いてＭＰＵ４１は、店舗一覧表示中にオペレータによる店舗設定内容を判別する（ステップＳ２３）。
この場合において、店舗一覧表示中にオペレータにより設定可能な設定内容としては、新たな店舗を登録する店舗登録、既に登録されている店舗に関する情報を更新（変更）する店舗更新及び既に登録されている店舗を削除する店舗削除である。
【００５４】
まず、店舗登録処理について説明する。
図２５は、店舗一覧画面の一例の説明図である。
店舗一覧画面６０Ｅは、図２５に示すように、上部に店舗検索入力領域１４５が配置され、下部には、店舗一覧リスト表示領域１５４が設けられている。
店舗検索入力領域１４５には、店舗を特定するためのＩＤがわかる場合に入力するＩＤ入力ボックス１４６と、所定の店舗検索サイトで当該店舗に関する情報に割り当てられた検索用店舗ＩＤ番号を入力する検索ＩＤ入力ボックス１４７と、店舗が属する支払先を複数提示可能であり、提示された支払先からいずれかの支払先を選択するための支払先選択入力ボックス１４８と、前方一致検索を行う店舗の名称を入力する名称入力ボックス１４９と、当該店舗で取り扱っている携帯電話の通信キャリアをキャリア１〜キャリア３のうちいずれかをチェック可能に入力するためのキャリアチェックボックス１５０と、当該店舗が有効であるか否かのステータスを入力するためのチェックボックス１５１と、検索開始を指示する検索ボタン１５２と、店舗を新規登録するための新規登録ボタン１５３と、が配置されている。
【００５５】
店舗一覧リスト表示領域１５４には、店舗テーブル２４を参照して店舗の一覧が表示され、ＩＤを表示するＩＤ表示領域１５５と、ステータスを表示するステータス表示領域１５６と、店舗ＩＤを表示する店舗ＩＤ表示領域１５７と、支払先の名称を表示する支払先表示領域１５８と、店舗の名称を表示する名称表示領域１５９と、当該店舗で取り扱っている携帯電話の通信キャリアを表示するキャリア表示領域１６０と、店舗の郵便番号が表示される郵便番号表示領域１６１と、店舗の所在地としての住所を表示する住所表示領域１６２と、対応する店舗の削除を指示する削除ボタン１６３Ａが表示された削除指示領域１６３と、を備えている。
オペレータによる操作として、店舗一覧リストが表示されている状態で、新規登録ボタン１５３をクリックすることにより店舗登録処理を選択すると、店舗登録画面が表示され、店舗登録処理に移行することとなる（ステップＳ２４）。
【００５６】
図２６は、店舗登録画面の説明図である。
店舗登録画面６０Ｆは、店舗情報入力領域１６５を備えており、この店舗情報入力領域１６５には、店舗を特定するＩＤが自動的に表示されるＩＤ表示領域１６６と、広告主名称を入力する広告主名称入力ボックス１６７と、店舗ＩＤを入力する店舗ＩＤ入力ボックス１６８と、支払先の名称を複数の支払先候補の中から選択して入力するための支払先選択ボックス１６９と、店舗の名称を入力する店舗名称入力ボックス１７０と、当該店舗で取り扱っている携帯電話の通信キャリアをキャリア１〜キャリア３の中から任意に選択してチェックするための販売キャリアチェックボックス宇１７１と、店舗の郵便番号を入力する郵便番号入力ボックス１７２と、店舗の住所を入力するための店舗住所入力ボックス１７３と、当該支払先が有効か否かを表すステータス情報を選択するステータスチェックボックス１７４と、店舗情報入力領域１６５に入力した情報を確定するための確認ボタン１７５と、が配置されている。
これにより、オペレータは、広告主名称、店舗ＩＤ、支払先、店舗名称、販売キャリア、郵便番号、住所を入力し、ステータスを有効とした状態で確認ボタン１７５をクリックすることで、それらの情報が電話帳データベース１１に登録されることとなる。
【００５７】
図２７は、店舗更新画面の説明図である。
また、オペレータによる操作として、店舗一覧リストが表示されている状態で、ＩＤ入力ボックス１４６に対するＩＤの入力、店舗ＩＤ入力ボックス１４７に対する店舗ＩＤの入力あるいは名称入力ボックス１４９への店舗名称の入力のいずれか少なくとも一つを行った上で、検索ボタン１５２をクリックし、対応する店舗情報が存在する場合には、ディスプレイ４５の表示画面には、後述する店舗更新画面６０Ｇが表示され、店舗更新処理に移行することとなる（ステップＳ１８）。
店舗更新画面６０Ｇは、店舗情報入力領域１８０を備えており、この店舗情報入力領域１８０には、店舗を特定するＩＤが自動的に表示されるＩＤ表示領域１８１と、店舗ＩＤを入力する店舗ＩＤ入力ボックス１８２と、店舗に対応する支払先を選択的に入力する支払先入力ボックス１８３と、店舗の名称を入力する店舗名称入力ボックス１８４と、当該店舗で取り扱っている携帯電話の通信キャリアをキャリア１〜キャリア３の中から任意に選択してチェックするための販売キャリアチェックボックス１８５と、当該店舗が有効か否かを表すステータス情報を選択するステータスチェックボックス１８６と、当該店舗情報の作成日を表示する作成日表示領域１８７と、当該店舗情報の更新日を表示する作成日表示領域１８８と、店舗情報入力領域１８０に入力した情報を確定するための確認ボタン１８９と、が配置されている。
店舗更新画面６０Ｇは、基本的に図２６に示した店舗登録画面と同様であるが、既に情報が入力された状態で表示される点が異なっており、オペレータは、店舗ＩＤ、支払先、店舗名称、販売対象となっている携帯電話の通信キャリア及びステータスのうち、更新が必要な情報を入力し、確認ボタン１８９をクリックすることで、それらの情報が電話帳データベース１１上で更新されることとなる。
【００５８】
図２８は、店舗削除画面の説明図である。
また、オペレータによる操作として、店舗一覧画面６０Ｅにおいて支払先一覧リストが表示されている状態で、いずれかの削除ボタン１６３Ａをクリックすることにより、当該削除ボタン１６３Ａに対応する店舗の店舗情報削除処理を行うための店舗削除画面６０Ｈが表示され、店舗削除処理に移行することとなる（ステップＳ１９）。
図２８は、店舗削除画面の説明図である。
店舗削除画面６０Ｈは、店舗情報表示・削除領域１９５を備えており、この店舗情報表示・削除領域１３０には、ＩＤが自動的に表示されるＩＤ表示領域１９６と、店舗名称が自動的に表示される店舗名称表示領域１９７と、店舗に対応する店舗ＩＤが自動的に表示される店舗ＩＤ表示領域１９８と、支払先の名称が自動的に表示される支払先名称表示領域１９９と、当該店舗に対応する携帯電話の通信キャリアが自動的に表示されるキャリア表示領域２００と、店舗の郵便番号が自動的に表示される郵便番号表示領域２０１と、店舗の所在地である住所が自動的に表示される住所表示領域２０２と、当該店舗情報が有効か否かを表すステータス情報が自動的に表示されるステータス表示領域２０３と、これらの表示領域１９６〜２０３に表示された内容に基づいて、オペレータが当該店舗情報の削除を指示するための削除ボタン２０４と、当該店舗の削除を行わずに店舗一覧画面６０Ｅの店舗一覧リストの表示状態に戻るための前に戻るボタン２０５と、が配置されている。
【００５９】
これらの結果、確実に削除対象の店舗情報を確認して、電話帳データベース１１から削除を行うことができる。
この場合においても、削除ボタン２０４がクリックされた場合には、直ちにデータの削除を行うのではなく、再度削除確認の表示を行った後に実際の削除を行うようにしてもよい。
また、実際に削除を行うのではなく、ステータスを無効にするようにし、ステータスが無効の状態で再度削除処理を行った場合に、同様に実際のデータの削除を行うようにしてもよい。この場合においても、削除ボタン２０４がクリックされた場合には、直ちにデータの削除を行うのではなく、再度削除確認の表示を行った後に実際の削除を行うようにすることが可能である。
【００６０】
上述した店舗登録処理（ステップＳ２４）、店舗先更新処理（ステップＳ２５）及び店舗削除処理（ステップＳ２６）の店舗設定処理と並行して、ＭＰＵ４１は、店舗設定処理が完了したか否かを常時判別を行っている（ステップＳ２７）。
ステップＳ２７の判別において、未だ店舗設定処理が完了していない場合には（ステップＳ２７；Ｎｏ）、再びステップＳ２２に処理を移行して、以下、同様の処理を行う。
【００６１】
一方、ステップＳ２７の判別において店舗設定処理が完了した場合には（ステップＳ２７；Ｙｅｓ）、図１５に示すように、ＭＰＵ４１は、広告主管理処理が選択されたか否かを判別する（ステップＳ２８）。ここで、広告主とは、電話番号を携帯電話端末に登録することを希望する者をいう。
具体的な選択処理としては、ＭＰＵ４１は、広告主管理ボタン６７がクリックされたか否かを判別することとなる。
ステップＳ２８の判別において、広告主管理ボタン７３がクリックされ、広告主管理処理が選択された場合には（ステップＳ２８；Ｙｅｓ）、広告主の設定処理に移行し、広告主一覧画面６０Ｉを表示する（ステップＳ２９）。
【００６２】
続いてＭＰＵ４１は、広告主一覧表示中にオペレータによる広告主設定内容を判別する（ステップＳ２３）。
この場合において、広告主一覧表示中にオペレータにより設定可能な設定内容としては、新たな広告主を登録する広告主登録、既に登録されている広告主に関する情報を更新（変更）する広告主更新及び既に登録されている広告主を削除する広告主削除である。
【００６３】
まず、広告主登録処理について説明する。
図２９は、広告主一覧画面の一例の説明図である。
広告主一覧画面６０Ｉは、図２９に示すように、上部に広告主検索入力領域２１０が配置され、下部には広告主一覧リスト表示領域２１１が設けられている。
広告主検索入力領域２１０には、広告主のＩＤがわかる場合に入力するＩＤ入力ボックス２１２と、前方一致検索を行う広告主の名称を入力する名称入力ボックス２１３と、当該広告主が有効であるか否かのステータスを入力するためのチェックボックス２１４と、検索開始を指示する検索ボタン２１５と、店舗を新規登録するための新規登録ボタン２１６と、が配置されている。
【００６４】
広告主一覧リスト表示領域２１１には、広告主テーブル２２を参照して広告主の一覧が表示され、ＩＤを表示するＩＤ表示領域２１７と、ステータスを表示するステータス表示領域２１８と、広告主の名称を表示する広告主名表示領域２１９と、広告主の郵便番号が表示される郵便番号表示領域２２０と、広告主の住所を表示する住所表示領域２２１と、対応する広告主の削除を指示する削除ボタン２２２Ａが表示された削除指示領域２２２と、を備えている。
【００６５】
オペレータによる操作として、広告主一覧リストが表示されている状態で、新規登録ボタン２１６をクリックすることにより広告主登録処理を選択すると、広告主登録画面が表示され、広告主登録処理に移行することとなる（ステップＳ３１）。
【００６６】
図３０は、広告主登録画面の説明図である。
広告主登録画面６０Ｊは、大別すると、広告主情報入力領域６１０と、ログイン情報入力領域６１１と、を備えている。
この場合において、広告主情報入力領域６１０には、広告主を特定するＩＤが自動的に表示されるＩＤ表示領域６１４と、広告主名称を入力する広告主名称入力ボックス６１５と、広告主の郵便番号を入力する郵便番号入力ボックス６１６と、広告主の住所を入力するための広告主住所入力ボックス６１７と、広告主の電話番号を入力する電話番号入力ボックス６１８と、広告主のファックス番号を入力するファックス番号入力ボックス６１９と、当該広告主が有効か否かを表すステータス情報を選択するステータスチェックボックス６２０と、備考として記入すべき各種情報を記載するメモ入力ボックス６２１と、が配置されている。
【００６７】
ログイン情報入力領域６１１には、ログインＩＤを入力するログインＩＤ入力ボックス６２２と、ログインパスワードを入力するパスワード入力ボックス６２３と、広告主情報入力領域２１０に入力した情報を確定するための確認ボタン６２４と、が配置されている。
これにより、オペレータは、広告主名称、郵便番号、住所、電話番号、ファックス番号を入力し、ステータスを有効とした状態で、確認ボタン６２４をクリックすることで、それらの情報が電話帳データベース１１に登録されることとなる。
【００６８】
図３１は、店舗更新画面の説明図である。
また、オペレータによる操作として、広告主一覧リストが表示されている状態で、ＩＤ入力ボックス２１２の入力あるいは名称入力ボックス２１３に対する広告主名称の入力のいずれか少なくとも一つを行った上で、検索ボタン２１５をクリックし、対応する広告主情報が存在する場合には、ディスプレイ４５の表示画面には、後述する広告主更新画面６０Ｋが表示され、広告主更新処理に移行することとなる（ステップＳ３２）。
【００６９】
広告主更新画面６０Ｋは、基本的に図３０に示した広告主登録画面と同一であるが、既に情報が入力された状態で表示される点が異なっており、オペレータは、広告主名称、宇郵便番号、広告主の住所、電話番号、ファックス番号及びステータスのうち、更新が必要な情報を広告名称入力ボックス２３３、郵便番号入力ボックス２３４、住所入力ボックス２３５、電話番号入力ボックス２３６、ファックス番号入力ボックス２３７あるいはステータスチェックボックス２３８のうち対応する入力ボックスを介して入力し、ログインＩＤ入力ボックス２４２にログインＩＤを入力し、パスワード入力ボックス２４３にパスワードを入力した上で、確認ボタン２４４をクリックすることで、それらのデータ（情報）が電話帳データベース１１上で更新されることとなる。
【００７０】
図３２は、広告主削除画面の説明図である。
また、オペレータによる操作として、広告主一覧画面６０Ｉにおいて広告主一覧リストが表示されている状態で、いずれかの削除ボタン２２２Ａをクリックすることにより、当該削除ボタン２２２Ａに対応する広告主の広告主情報削除処理を行うための広告主削除画面６０Ｌが表示され、広告主削除処理に移行することとなる（ステップＳ３３）。
【００７１】
広告主削除画面６０Ｌは、広告主情報表示・削除領域２５０を備えており、この広告主情報表示・削除領域２５０には、ＩＤが自動的に表示されるＩＤ表示領域２５１と、広告主名称が自動的に表示される広告主名称表示領域２５２と、広告主の郵便番号が自動的に表示される郵便番号表示領域２５３と、広告主の住所が自動的に表示される住所表示領域２５４と、電話番号が自動的に表示される電話番号表示領域２５５と、ファックス番号が自動的に表示されるファックス番号表示領域２５６と、当該広告主情報が有効か否かを表すステータス情報が自動的に表示されるステータス表示領域２５７と、備考として記入された各種情報が自動的に表示される備考表示領域２５８と、が設けられ、さらに、これらの表示領域２５１〜２５８に表示された内容に基づいて、オペレータが当該店舗情報の削除を指示するための削除ボタン２５９と、当該広告主の削除を行わずに広告主一覧画面６０Ｉの広告主一覧リストの表示状態に戻るための前に戻るボタン２６０と、が配置されている。
【００７２】
これらの結果、確実に削除対象の広告主情報を確認して、電話帳データベース１１から削除を行うことができる。
この場合においても、削除ボタン２５９がクリックされた場合には、直ちにデータの削除を行うのではなく、再度削除確認の表示を行った後に実際の削除を行うようにしてもよい。
また、実際に削除を行うのではなく、ステータスを無効にするようにし、ステータスが無効の状態で再度削除処理を行った場合に、同様に実際のデータの削除を行うようにしてもよい。この場合においても、削除ボタン２５９がクリックされた場合には、直ちにデータの削除を行うのではなく、再度削除確認の表示を行った後に実際の削除を行うようにすることが可能である。
上述した広告主登録処理（ステップＳ３１）、広告主更新処理（ステップＳ３２）及び広告主削除処理（ステップＳ３３）の広告主設定処理と並行して、ＭＰＵ４１は、広告主設定処理が完了したか否かを常時判別を行っている（ステップＳ３４）。
ステップＳ３４の判別において、未だ広告主設定処理が完了していない場合には（ステップＳ３４；Ｎｏ）、再びステップＳ２９に処理を移行して、以下、同様の処理を行う。
【００７３】
一方、ステップＳ３４の判別において広告主設定処理が完了した場合には（ステップＳ３４；Ｙｅｓ）、図１６に示すように、ＭＰＵ４１は、ブックマークグループ（ＢＭＧ）管理処理が選択されたか否かを判別する（ステップＳ３５）。ここで、ブックマークグループとは、ネットワークアドレス（ＵＲＬ）を携帯電話端末に登録する際に目的、嗜好などにより複数のネットワークアドレスをひとまとめにしたグループのことをいう。例えば、緊急関係（水道トラブル、ガス漏れ、鍵紛失等）、病院関係（専門医院、救急病院等）、交通関係（タクシー等）、パソコン関係、飲食店関係（レストラン、喫茶店、ファストフード店等）等の関係毎にグループ化したネットワークアドレスグループを言う。
具体的な選択処理としては、ＭＰＵ４１は、ブックマークグループ管理ボタン６６がクリックされたか否かを判別することとなる。
ステップＳ３５の判別において、ブックマークグループ管理ボタン６６がクリックされ、ブックマークグループ管理処理が選択された場合には（ステップＳ３５；Ｙｅｓ）、ブックマークグループの設定処理に移行し、ブックマークグループ一覧画面６０Ｍを表示する（ステップＳ３６）。
【００７４】
まず、ブックマークグループ登録処理について説明する。
図３３は、ブックマークグループ一覧画面の一例の説明図である。
ブックマークグループ一覧画面６０Ｍは、図３３に示すように、上部にブックマークグループ検索入力領域２６５が配置され、下部にはブックマークグループ一覧リスト表示領域２６６が設けられている。
ブックマークグループ検索入力領域２６５には、ブックマークグループのＩＤがわかる場合に入力するＩＤ入力ボックス２６７と、ブックマークグループの名称を入力する名称入力ボックス２６８と、当該広告主が有効であるか否かのステータスを入力するためのチェックボックス２６９と、検索開始を指示する検索ボタン２７０と、ブックマークグループを新規登録するための新規登録ボタン２７１と、が配置されている。
【００７５】
ブックマークグループ一覧リスト表示領域２６６には、ブックマークグループテーブル２５を参照してブックマークグループの一覧が表示され、ブックマークグループを特定するＩＤを表示するＩＤ表示領域２７２と、ブックマークグループのステータスを表示するステータス表示領域２７３と、ブックマークグループの名称を表示するブックマークグループ名表示領域２７４と、対応するブックマークグループの削除を指示する削除ボタン２７５Ａが表示された削除指示領域２７５と、を備えている。
【００７６】
オペレータによる操作として、ブックマークグループ一覧リストが表示されている状態で、新規登録ボタン２７１をクリックすることによりブックマークグループ登録処理を選択すると、ブックマークグループ登録画面が表示され、ブックマークグループ登録処理に移行することとなる（ステップＳ３８）。
【００７７】
図３４は、ブックマークグループ登録画面の説明図である。
ブックマークグループ登録画面６０Ｎは、ブックマークグループ情報入力領域２８０を備えており、このブックマークグループ情報入力領域２８０には、ブックマークグループを特定するＩＤが自動的に表示されるＩＤ表示領域２８１と、ブックマークグループ名称を入力するブックマークグループ名称入力ボックス２８２と、当該ブックマークグループが有効か否かを表すステータス情報を選択するステータスチェックボックス２８３と、ブックマークグループ情報入力領域２８０に入力した情報を確定するための確認ボタン２８４と、が配置されている。
これにより、オペレータは、ブックマークグループ名称を入力し、ステータスを有効とした状態で、確認ボタン２８４をクリックすることで、それらの情報が電話帳データベース１１に登録されることとなる。
【００７８】
図３５は、ブックマークグループ更新画面の説明図である。
また、オペレータによる操作として、ブックマークグループ一覧画面６０Ｍの表示中に、ブックマークグループ一覧リストが表示されている状態で、ブックマークグループ名称入力ボックス２１３に対する広告主名称の入力のいずれか少なくとも一つを行った上で、検索ボタン２１５をクリックし、対応する広告主情報が存在する場合には、ディスプレイ４５の表示画面には、後述するブックマークグループ更新画面６０Ｏが表示され、ブックマークグループ更新処理に移行することとなる（ステップＳ３９）。
【００７９】
ブックマークグループ更新画面６０Ｏは、基本的に図３４に示した広告主登録画面と同一であるが、既に情報が入力された状態で表示される点と、作成日表示領域２９４及び更新日表示領域２９５が表示される点と、が異なっており、オペレータは、ブックマークグループ名称入力ボックス２９２あるいはステータスチェックボックス２９３のうち対応する入力ボックスを介して入力した上で、確認ボタン２９６をクリックすることで、それらのデータ（情報）が電話帳データベース１１上で更新されることとなる。
【００８０】
図３６は、ブックマークグループ削除画面の説明図である。
また、オペレータによる操作として、ブックマークグループ一覧画面６０Ｍにおいてブックマークグループ一覧リストが表示されている状態で、いずれかの削除ボタン２７５Ａをクリックすることにより、当該削除ボタン２７５Ａに対応するブックマークグループ情報削除処理を行うためのブックマークグループ削除画面６０Ｏが表示され、ブックマークグループ削除処理に移行することとなる（ステップＳ４０）。
【００８１】
ブックマークグループ削除画面６０Ｐは、ブックマークグループ情報表示・削除領域３００を備えており、このブックマークグループ情報表示・削除領域３００には、電話帳データベース１１のブックマークグループテーブル２５を参照して各種情報が表示され、ブックマークグループを特定するＩＤが自動的に表示されるＩＤ表示領域３０１と、ブックマークグループ名称が自動的に表示されるブックマークグループ名称表示領域３０２と、当該ブックマークグループ情報が有効か否かを表すステータス情報が自動的に表示されるステータス表示領域３０３と、当該ブックマークグループを作成した作成日が自動的に表示される作成日表示領域３０４と、が設けられ、さらに、これらの表示領域３０１〜３０４に表示された内容に基づいてオペレータが当該ブックマークグループ情報の削除を指示するための削除ボタン３０５と、表示領域３０１〜３０４に表示された内容に対応するブックマークグループの削除を行わずにブックマークグループ一覧画面６０Ｍのブックマークグループ一覧リストの表示状態に戻るための前に戻るボタン３０６と、が配置されている。
【００８２】
これらの結果、確実に削除対象のブックマークグループ情報を確認して、電話帳データベース１１から削除を行うことができる。
この場合においても、削除ボタン３０５がクリックされた場合には、直ちにデータの削除を行うのではなく、再度削除確認の表示を行った後に実際の削除を行うようにしてもよい。
また、実際に削除を行うのではなく、ステータスを無効にするようにし、ステータスが無効の状態で再度削除処理を行った場合に、同様に実際のデータの削除を行うようにしてもよい。この場合においても、削除ボタン３０５がクリックされた場合には、直ちにデータの削除を行うのではなく、再度削除確認の表示を行った後に実際の削除を行うようにすることが可能である。
【００８３】
上述したブックマークグループ登録処理（ステップＳ３８）、ブックマークグループ更新処理（ステップＳ３９）及びブックマークグループ削除処理（ステップＳ４０）のブックマークグループ設定処理と並行して、ＭＰＵ４１は、ブックマークグループ設定処理が完了したか否かを常時判別を行っている（ステップＳ４１）。
ステップＳ４１の判別において、未だブックマークグループ設定処理が完了していない場合には（ステップＳ４１；Ｎｏ）、再びステップＳ３６に処理を移行して、以下、同様の処理を行う。
【００８４】
一方、ステップＳ４１の判別においてブックマークグループ設定処理が完了した場合には（ステップＳ４１；Ｙｅｓ）、図１６に示すように、ＭＰＵ４１は、電話帳広告管理処理が選択されたか否かを判別する（ステップＳ４２）。
具体的な選択処理としては、ＭＰＵ４１は、電話帳広告管理ボタン６８がクリックされたか否かを判別することとなる。
ステップＳ３５の判別において、電話帳広告管理ボタン６８がクリックされ、電話帳広告管理処理が選択された場合には（ステップＳ４２；Ｙｅｓ）、電話帳広告の設定処理に移行し、電話帳広告一覧画面６０Ｑを表示する（ステップＳ４３）。
【００８５】
まず、電話帳広告登録処理について説明する。
図３７は、電話帳広告一覧画面の説明図である
電話帳広告一覧画面６０Ｑは、図３７に示すように、上部に電話帳広告検索入力領域３１０が配置され、下部には電話帳広告一覧リスト表示領域３１１が設けられている。
電話帳広告検索入力領域３１０には、電話帳広告のＩＤがわかる場合に入力するＩＤ入力ボックス３１２と、電話帳広告の広告主を選択入力する広告主入力ボックス３１３と、電話帳広告の名称を入力する名称入力ボックス３１４と、当該電話帳広告の配信対象とする携帯電話の通信キャリアをキャリア１〜キャリア３のうちいずれかをチェック可能に入力するためのキャリアチェックボックス３１５と、電話帳広告の配信開始日が属する期間を入力するための配信開始日入力ボックス３１６と、電話帳広告の配信終了日が属する期間を入力するための配信終了日入力ボックス３１７と、電話帳広告が有効であるか否かのステータスを入力するためのチェックボックス１５１と、検索開始を指示する検索ボタン３１９と、店舗を新規登録するための新規登録ボタン３２０と、が配置されている。
【００８６】
電話帳広告一覧リスト表示領域３１１には、広告テーブル２６を参照して電話帳広告の一覧が表示され、電話帳広告を特定するＩＤを表示するＩＤ表示領域３２１と、電話帳広告のステータスを表示するステータス表示領域３２２と、電話帳広告の広告主の名称を表示する広告主表示領域３２３と、電話帳広告の名称を表示する電話帳広告名表示領域３２４と、対応する電話帳広告の配信対象となる携帯電話の通信キャリアを表示するキャリア表示領域３２５と、対応する電話帳広告の配信開始日を表示する配信開始日表示領域３２６と、対応する電話帳広告の配信終了日を表示する配信終了日表示領域３２７と、対応する電話帳広告の削除を指示する削除ボタン３２８Ａが表示された削除指示領域３２８と、を備えている。
【００８７】
ここで、ＭＰＵ４１は、電話帳広告設定の内容を判別し（ステップＳ４４）、対応する処理に移行する。
すなわち、オペレータによる操作として、電話帳広告一覧画面６０Ｑが表示されて電話帳広告一覧リストが表示されている状態で、新規登録ボタン３２０をクリックすることにより電話帳広告登録処理を選択すると、電話帳広告登録画面が表示され、電話帳広告登録処理に移行することとなる（ステップＳ４５）。
【００８８】
図３８は、電話帳広告登録画面の説明図である。
電話帳広告登録画面６０Ｒは、電話帳広告情報入力領域３３０を備えており、この電話帳広告情報入力領域３３０には、電話帳広告を特定するＩＤが自動的に表示されるＩＤ表示領域３３１と、電話帳広告名称を入力する電話帳広告名称入力ボックス３３２と、電話帳広告振仮名を入力する電話帳広告振仮名入力ボックス３３３と、広告主を選択入力する広告主入力ボックス３３４と、電話帳配信対象の都道府県をチェックして選択する都道府県チェックボックス３３５と、電話番号種別（共通、個別）を選択する電話番号種別チェックボックス３３６と、キャリア別に実際の電話番号を入力するキャリア別電話番号入力ボックス３３７〜３３９と、電話帳広告の掲載期間を入力する掲載期間入力ボックス３４０と、当該電話帳広告の表示の優先度の高さを表す表示優先度（値が大きいほど優先度高い：１００が最大）を入力する表示優先度入力ボックス３４１と、当該電話帳広告が有効か否かを表すステータス情報を選択するステータスチェックボックス３４２と、電話帳広告情報入力領域３３０に入力した情報を確定するための確認ボタン３４３と、が配置されている。
これにより、オペレータは、電話帳広告名称、電話帳広告振仮名、広告主、配信都道府県、電話番号種別、キャリア別電話番号、掲載期間、表示優先度を入力し、ステータスを有効とした状態で、確認ボタン３４３をクリックすることで、それらの情報が電話帳データベース１１に登録されることとなる。
【００８９】
図３９は、電話帳広告更新画面の説明図である。
また、オペレータによる操作として、電話帳広告一覧画面６０Ｐが表示されて電話帳広告一覧リストが表示されている状態で、電話帳広告名称入力ボックス３１４に対する広告主名称の入力のいずれか少なくとも一つを行った上で、検索ボタン３１９をクリックし、対応する広告主情報が存在する場合には、ディスプレイ４５の表示画面には、後述する電話帳広告更新画面６０Ｓが表示され、電話帳広告更新処理に移行することとなる（ステップＳ３９）。
【００９０】
電話帳広告更新画面６０Ｓは、基本的に図３８に示した電話帳広告登録画面Ｒと同一であるが、既に情報が入力された状態で表示される点と、作成日表示領域３５７及び更新日表示領域３５８が表示される点と、が異なっており、オペレータは、電話帳広告名称入力ボックス３４７、２９２あるいはステータスチェックボックス２９３のうち対応する入力ボックスを介して入力した上で、確認ボタン３５９をクリックすることで、それらのデータ（情報）が電話帳データベース１１上で更新されることとなる。
【００９１】
図４０は、電話帳広告削除画面の説明図である。
また、オペレータによる操作として、電話帳広告一覧画面６０Ｐが表示されて電話帳広告一覧リストが表示されている状態で、いずれかの削除ボタン３２８Ａをクリックすることにより、当該削除ボタン３２８Ａに対応する電話帳広告情報削除処理を行うための電話帳広告削除画面６０Ｔが表示され、電話帳広告削除処理に移行することとなる（ステップＳ４０）。
【００９２】
電話帳広告削除画面６０Ｔは、電話帳広告情報表示・削除領域６３５を備えており、この電話帳広告情報表示・削除領域６３５には、電話帳データベース１１の広告テーブル２６を参照して各種情報が表示され、電話帳広告を特定するＩＤが自動的に表示されるＩＤ表示領域６３６と、電話帳広告名称が自動的に表示される電話帳広告名称表示領域６３７と、電話帳広告名称の振り仮名が表示される電話帳広告振仮名表示領域６３８と、電話帳広告の広告主が表示される広告主表示領域６３９と、電話帳広告を配信する都道府県名が表示される配信都道府県表示領域６４０と、電話帳広告に掲載される電話番号の種別（共通あるいは個別）を表示する電話番号種別表示領域６４１と、キャリア別に実際の電話番号を表示するキャリア別電話番号表示領域６４２〜６４４と、当該電話帳広告の掲載期間を表示する掲載期間表示領域６４５と、当該電話帳広告の表示の優先度の高さを表す表示優先度（値が大きいほど優先度高い：１００が最大）を表示する表示優先度表示領域６４６と、当該電話帳広告情報が有効か否かを表すステータス情報が自動的に表示されるステータス表示領域６４７と、が設けられ、さらに、これらの表示領域６３６〜６４７に表示された内容に基づいてオペレータが当該電話帳広告情報の削除を指示するための削除ボタン６４９と、表示領域６３６〜６４７に表示された内容に対応する電話帳広告の削除を行わずに電話帳広告一覧画面６０Ｐの電話帳広告一覧リストの表示状態に戻るための前に戻るボタン６５０と、が配置されている。
【００９３】
これらの結果、確実に削除対象の電話帳広告情報を確認して、電話帳データベース１１から削除を行うことができる。
この場合においても、削除ボタン３５９がクリックされた場合には、直ちにデータの削除を行うのではなく、再度削除確認の表示を行った後に実際の削除を行うようにしてもよい。
また、実際に削除を行うのではなく、ステータスを無効にするようにし、ステータスが無効の状態で再度削除処理を行った場合に、同様に実際のデータの削除を行うようにしてもよい。この場合においても、削除ボタン３５９がクリックされた場合には、直ちにデータの削除を行うのではなく、再度削除確認の表示を行った後に実際の削除を行うようにすることが可能である。
【００９４】
上述した電話帳広告登録処理（ステップＳ４５）、電話帳広告更新処理（ステップＳ４６）及び電話帳広告削除処理（ステップＳ４７）の電話帳広告設定処理と並行して、ＭＰＵ４１は、電話帳広告設定処理が完了したか否かを常時判別を行っている（ステップＳ４８）。
ステップＳ４８の判別において、未だ電話帳広告設定処理が完了していない場合には（ステップＳ４８；Ｎｏ）、再びステップＳ４３に処理を移行して、以下、同様の処理を行う。
一方、ステップＳ４８の判別において電話帳広告設定処理が完了した場合には（ステップＳ４８；Ｙｅｓ）、図１７に示すように、ＭＰＵ４１は、ブックマーク広告の設定処理に移行し、ブックマーク広告一覧画面６０Ｕを表示する（ステップＳ４９）。
【００９５】
まず、ブックマーク広告登録処理について説明する。
図４１は、ブックマーク広告一覧画面の説明図である。
ブックマーク広告一覧画面６０Ｕは、図４１に示すように、上部にブックマーク広告検索入力領域３６５が配置され、下部にはブックマーク広告一覧リスト表示領域３６６が設けられている。
【００９６】
ブックマーク広告検索入力領域３６５には、ブックマーク広告のＩＤがわかる場合に入力するＩＤ入力ボックス３６７と、ブックマーク広告の広告主を選択入力する広告主入力ボックス３６８と、ブックマーク広告の名称を入力する名称入力ボックス３６９と、当該ブックマーク広告の配信対象とする携帯電話の通信キャリアをキャリア１〜キャリア３のうちいずれかをチェック可能に入力するためのキャリアチェックボックス３７０と、ブックマーク広告の配信開始日が属する期間を入力するための配信開始日入力ボックス３７１と、ブックマーク広告の配信終了日が属する期間を入力するための配信終了日入力ボックス３７２と、ブックマーク広告が有効であるか否かのステータスを入力するためのチェックボックス３７３と、検索開始を指示する検索ボタン３７４と、店舗を新規登録するための新規登録ボタン３７５と、が配置されている。
【００９７】
ブックマーク広告一覧リスト表示領域３６６には、広告テーブル２６を参照してブックマーク広告の一覧が表示され、ブックマーク広告を特定するＩＤを表示するＩＤ表示領域３７６と、ブックマーク広告のステータスを表示するステータス表示領域３７７と、ブックマーク広告の広告主の名称を表示する広告主表示領域３７８と、ブックマーク広告の名称を表示するブックマーク広告名表示領域３７９と、対応するブックマーク広告の配信対象となる携帯電話の通信キャリアを表示するキャリア表示領域３８０と、対応するブックマーク広告の配信開始日を表示する配信開始日表示領域３８１と、対応するブックマーク広告の配信終了日を表示する配信終了日表示領域３８２と、対応するブックマーク広告の削除を指示する削除ボタン３８３Ａが表示された削除指示領域３８３と、を備えている。
【００９８】
ここで、ＭＰＵ４１は、ブックマーク広告設定の内容を判別し（ステップＳ５０）、対応する処理に移行する。
すなわち、オペレータによる操作として、ブックマーク広告一覧画面６０Ｕが表示されてブックマーク広告一覧リストが表示されている状態で、新規登録ボタン３７５をクリックすることによりブックマーク広告登録処理を選択すると、ブックマーク広告登録画面が表示され、ブックマーク広告登録処理に移行することとなる（ステップＳ５１）。
【００９９】
図４２は、ブックマーク広告登録画面の説明図である。
ブックマーク広告登録画面６０Ｖは、ブックマーク広告情報入力領域３８５を備えており、このブックマーク広告情報入力領域３８５には、ブックマーク広告を特定するＩＤが自動的に表示されるＩＤ表示領域３８６と、ブックマーク広告名称を入力するブックマーク広告名称入力ボックス３８７と、ブックマーク広告の広告主を選択入力する広告主入力ボックス３８８と、ブックマークの配信対象の都道府県を選択するためのチェックボックスが配置された配信対象都道府県入力ボックス３８９と、配信対象のＵＲＬの種別（共通、個別）を入力するＵＲＬ入力ボックス３９０と、当該ブックマークが属するブックマークグループを選択するブックマークグループ入力ボックス３９１と、携帯電話の通信キャリア毎にブックマーク対象のＵＲＬを入力するＵＲＬ入力ボックス３９２〜３９４と、ブックマークの掲載期間を入力する掲載期間入力ボックス３９５と、当該ブックマーク広告の表示の優先度の高さを表す表示優先度（値が大きいほど優先度高い：１００が最大）を入力する表示優先度入力ボックス３９６と、当該ブックマーク広告が有効か否かを表すステータス情報を選択するステータスチェックボックス３９７と、ブックマーク広告情報入力領域３８５に入力した情報を確定するための確認ボタン３９８と、が配置されている。
これにより、オペレータは、ブックマーク広告名称、広告主、配信都道府県、ＵＲＬ種別、ブックマークグループ、通信キャリア毎のＵＲＬ、掲載期間、表示優先度を入力し、ステータスを有効とした状態で、確認ボタン３９８をクリックすることで、それらの情報が電話帳データベース１１の広告テーブル２６に登録されることとなる。
【０１００】
図４３は、ブックマーク広告更新画面の説明図である。
また、オペレータによる操作として、ブックマーク広告一覧画面６０Ｕが表示されてブックマーク広告一覧リストが表示されている状態で、ブックマーク広告名称入力ボックス３８７に対する広告主名称の入力のいずれか少なくとも一つを行った上で、検索ボタン２１５をクリックし、対応する広告主情報が存在する場合には、ディスプレイ４５の表示画面には、後述するブックマーク広告更新画面６０Ｗが表示され、ブックマーク広告更新処理に移行することとなる（ステップＳ５２）。
【０１０１】
ブックマーク広告更新画面６０Ｗは、基本的に図４２に示したブックマーク広告登録画面と同一であるが、既に情報が入力された状態で表示される点と、作成日表示領域４１３及び更新日表示領域４１４が表示される点と、が異なっており、オペレータは、ブックマーク広告名称入力ボックス４０２、広告主入力ボックス４０３、配信都道府県チェックボックス４０４、ＵＲ種別入力ボックス４０５、ブックマークグループ入力ボックス４０６、キャリア別ＵＲＬ入力ボックス４０７〜４０９、掲載期間入力ボックス４１０、表示優先度入力ボックス４１１あるいはステータスチェックボックス４１２のうち、更新したいデータに対応するデータを入力した上で、確認ボタン４１５をクリックすることで、それらのデータ（情報）が電話帳データベース１１の広告テーブル２６上で更新されることとなる。
【０１０２】
図４４は、ブックマーク広告削除画面の説明図である。
また、オペレータによる操作として、ブックマーク広告一覧画面６０Ｕが表示されてブックマーク広告一覧リストが表示されている状態で、いずれかの削除ボタン３８３Ａをクリックすることにより、当該削除ボタン３８３Ａに対応するブックマーク広告情報削除処理を行うためのブックマーク広告削除画面６０Ｘが表示され、ブックマーク広告削除処理に移行することとなる（ステップＳ５３）。
【０１０３】
ブックマーク広告削除画面６０Ｘは、ブックマーク広告情報表示・削除領域４２０を備えており、このブックマーク広告情報表示・削除領域４２０には、電話帳データベース１１の広告テーブル２６を参照して各種情報が表示され、ブックマーク広告を特定するＩＤが自動的に表示されるＩＤ表示領域４２１と、ブックマーク広告名称が自動的に表示されるブックマーク広告名称表示領域４２２と、ブックマーク広告の広告主が表示される広告主表示領域４２３と、ブックマーク広告を配信する都道府県名が表示される配信都道府県表示領域４２４と、ブックマーク広告に掲載されるＵＲＬの種別（共通あるいは個別）を表示するＵＲＬ種別表示領域４２５と、キャリア別に実際のＵＲＬを表示するキャリア別ＵＲＬ表示領域４２７〜４２９と、当該ブックマーク広告の掲載期間を表示する掲載期間表示領域４３０と、当該ブックマーク広告の表示の優先度の高さを表す表示優先度（値が大きいほど優先度高い：１００が最大）を表示する表示優先度表示領域４３１と、当該ブックマーク広告情報が有効か否かを表すステータス情報が自動的に表示されるステータス表示領域４３２と、が設けられ、さらに、これらの表示領域４２１〜４３２に表示された内容に基づいてオペレータが当該ブックマーク広告情報の削除を指示するための削除ボタン４３３と、表示領域４２１〜４３２に表示された内容に対応するブックマーク広告の削除を行わずにブックマーク広告一覧画面６０Ｕのブックマーク広告一覧リストの表示状態に戻るための前に戻るボタン４３４と、が配置されている。
これらの結果、確実に削除対象のブックマーク広告情報を確認して、電話帳データベース１１から削除を行うことができる。
【０１０４】
この場合においても、削除ボタン４３３がクリックされた場合には、直ちにデータの削除を行うのではなく、再度削除確認の表示を行った後に実際の削除を行うようにしてもよい。
また、実際に削除を行うのではなく、ステータスを無効にするようにし、ステータスが無効の状態で再度削除処理を行った場合に、同様に実際のデータの削除を行うようにしてもよい。この場合においても、削除ボタン４３３がクリックされた場合には、直ちにデータの削除を行うのではなく、再度削除確認の表示を行った後に実際の削除を行うようにすることが可能である。
上述したブックマーク広告登録処理（ステップＳ５１）、ブックマーク広告更新処理（ステップＳ５２）及びブックマーク広告削除処理（ステップＳ５３）のブックマーク広告設定処理と並行して、ＭＰＵ４１は、ブックマーク広告設定処理が完了したか否かを常時判別を行っている（ステップＳ５４）。
【０１０５】
ステップＳ５４の判別において、未だブックマーク広告設定処理が完了していない場合には（ステップＳ５４；Ｎｏ）、再びステップＳ４９に処理を移行して、以下、同様の処理を行う。
ステップＳ５４の判別において、ブックマーク広告設定処理が完了した場合には（ステップＳ５４；Ｙｅｓ）、ＭＰＵ４１は、オペレータが電話帳広告の設定内容の確認をディスプレイ画面上でその旨の表示を行って促し、オペレータが電話帳配信設定一覧ボタン７０をクリックしたか否かに基づいて、電話帳広告の設定内容の確認の有無を判別する（ステップＳ５５）。
ステップＳ５５の判別において、電話帳広告の設定内容の確認を行わない場合には（ステップＳ５５；Ｎｏ）、処理をステップＳ５９に移行する。
一方、ステップＳ５５の判別において、電話帳広告の設定内容の確認を行う場合には（ステップＳ５５；Ｙｅｓ）、電話帳広告設定一覧を表示する。
【０１０６】
図４５は、電話帳配信設定一覧の表示例の説明図である。
電話帳配信設定一覧画面６０Ｙは、電話帳配信設定を表示する月を指定するための電話帳配信設定表示月指定領域４４０と、電話帳配信設定を表示する電話帳配信設定表示領域４４１と、を備えており、電話帳配信設定表示月指定領域４４０には、現在表示している電話帳配信設定の表示月を表示する表示月表示領域４４２と、前月の電話帳配信設定を表示させるための前月表示ボタン４４３と、次月の電話帳広告設定を表示させるための次月表示ボタン４４４と、を備えている。
電話帳配信設定表示領域４４１には、都道府県毎に、上段に都道府県名を表示し、下段に当該都道府県における当該月における配信広告（配信電話番号）の数（配信数）を表示している。図４５の例の場合、各都道府県について、４種類の電話番号の配信を行う旨が表示されている。
【０１０７】
この場合において、上段の都道府県名をクリックすると、当該都道府県の電話帳広告詳細設定内容を表示するように構成されている。
したがって、ＭＰＵ４１は、オペレータが電話帳広告の都道府県毎の詳細設定内容の確認を行うか否かを、都道府県名をクリックしたか否かに基づいて判別する（ステップＳ５７）。
ステップＳ５７の判別において、電話帳広告の都道府県毎の詳細設定内容の確認を行わない場合には（ステップＳ５７；Ｎｏ）、処理をステップＳ５９に移行する。
一方、ステップＳ５７の判別において、電話帳広告の都道府県毎の詳細設定内容の確認を行う場合には（ステップＳ５７；Ｙｅｓ）、電話帳広告詳細設定一覧画面を表示する（ステップＳ５８）。
【０１０８】
図４６は、電話帳配信設定一覧の表示例の説明図である。
電話帳配信詳細設定一覧画面６０Ｚは、電話帳広告設定を表示する月を指定するための電話帳配信設定表示月指定領域４４５と、都道府県毎の電話帳配信詳細設定を表示する電話帳配信詳細設定表示領域４４６と、を備えており、電話帳配信設定表示月指定領域４４５には、現在表示している電話帳配信設定の表示月を表示する表示月表示領域４４７と、前月の電話帳配信設定を表示させるための前月表示ボタン４４８と、次月の電話帳配信設定を表示させるための次月表示ボタン４４９と、を備えている。
電話帳配信詳細設定表示領域４４６には、オペレータが選択した都道府県名を表示する都道府県名表示領域４５０と、電話帳広告の番号を表示する番号表示領域４５１と、電話帳広告の名称を表示する広告名表示領域４５２と、電話帳広告の配信対象の携帯電話の通信キャリア名を表示するキャリア表示領域４５３と、当該都道府県における当該月の日付毎の配信数を表示する配信情報表示領域４５４と、日付毎の配信数合計を表示する配信合計表示領域４５５と、が設けられている。
【０１０９】
具体的には、広告番号＝１の広告名＝「広告Ａ」の電話帳広告は、配信キャリア＝「キャリア１」であり、２０１０年３月１日〜２０１０年３月３１日まで毎日配信を行うように設定（○印で示す）がなされている。
そして、例えば、３月２日には、広告Ａ、広告Ｂ、広告Ｃの３種類の電話帳広告が配信されることとなっており、３月２日の合計配信数は３となっている。また、３月３日以降は、広告Ａ、広告Ｂ、広告Ｃ、広告Ｄの３種類の電話帳広告が配信されることとなっており、３月３日以降の合計配信数は４となっている。
これらの結果、配信数に応じて、広告主には、課金がなされることとなる。
続いて、ＭＰＵ４１は、オペレータがブックマーク広告の設定内容の確認を、ディスプレイ画面上でその旨の表示を行うことにより促し、オペレータがブックマーク広告配信設定一覧ボタン７１をクリックしたか否かに基づいて、ブックマーク広告の設定内容の確認の有無を判別する（ステップＳ５９）。
ステップＳ５９の判別において、ブックマーク広告の設定内容の確認を行わない場合には（ステップＳ５９；Ｎｏ）、処理を終了する。
一方、ステップＳ５９の判別において、ブックマーク広告の設定内容の確認を行う場合には（ステップＳ５９；Ｙｅｓ）、ブックマーク広告設定一覧を表示する。
【０１１０】
図４７は、ブックマーク広告設定一覧の表示例の説明図である。
ブックマーク広告杯設定一覧画面６０ａは、ブックマーク広告設定を表示する月を指定するためのブックマーク広告設定表示月指定領域４６０と、ブックマーク広告設定を表示するブックマーク広告設定表示領域４６１と、を備えており、ブックマーク広告設定表示月指定領域４６０には、現在表示しているブックマーク広告設定の表示月を表示する表示月表示領域４６２と、前月のブックマーク広告設定を表示させるための前月表示ボタン４６３と、次月のブックマーク広告設定を表示させるための次月表示ボタン４６４と、を備えている。
ブックマーク広告設定表示領域４６１には、都道府県毎に、上段に都道府県名を表示し、下段に当該都道府県における配信数を表示している。図４７の例の場合、各都道府県について、４回の配信を行う旨が表示されている。
【０１１１】
この場合において、上段の都道府県名をクリックすると、当該都道府県のブックマーク広告詳細設定内容を表示するように構成されている。
したがって、ＭＰＵ４１は、オペレータがブックマーク広告の都道府県毎の詳細設定内容の確認を行うか否かを、都道府県名をクリックしたか否かに基づいて判別する（ステップＳ５７）。
ステップＳ５７の判別において、ブックマーク広告の都道府県毎の詳細設定内容の確認を行わない場合には（ステップＳ５７；Ｎｏ）、処理をステップＳ５９に移行する。
一方、ステップＳ５７の判別において、ブックマーク広告の都道府県毎の詳細設定内容の確認を行う場合には（ステップＳ５７；Ｙｅｓ）、ブックマーク広告詳細設定一覧画面を表示する（ステップＳ５８）。
【０１１２】
図４８は、ブックマーク広告詳細設定一覧の表示例の説明図である。
ブックマーク広告詳細設定一覧画面６０ｂは、ブックマーク広告設定を表示する月を指定するためのブックマーク広告設定表示月指定領域４６５と、都道府県毎のブックマーク広告詳細設定を表示するブックマーク広告詳細設定表示領域４６６と、を備えており、ブックマーク広告設定表示月指定領域４６５には、現在表示しているブックマーク広告設定の表示月を表示する表示月表示領域４６７と、前月のブックマーク広告設定を表示させるための前月表示ボタン４６８と、次月のブックマーク広告設定を表示させるための次月表示ボタン４６９と、を備えている。
【０１１３】
ブックマーク広告詳細設定表示領域４６６には、オペレータが選択した都道府県名を表示する都道府県名表示領域４７０と、ブックマーク広告の番号を表示する番号表示領域４７１と、ブックマーク広告の名称を表示する広告名表示領域４７２と、ブックマーク広告の配信対象の携帯電話の通信キャリア名を表示するキャリア表示領域４７３と、当該都道府県における当該月の日付毎の配信数を表示する配信情報表示領域４７４と、日付毎の配信数合計を表示する配信合計表示領域４７５と、が設けられている。
具体的には、広告番号＝１の広告名＝「広告Ａ」の電話帳広告は、配信キャリア＝「キャリア１」であり、２０１０年３月１日〜２０１０年３月３１日まで毎日配信を行うように設定（○印で示す）がなされている。
そして、例えば、３月２日には、広告Ａ、広告Ｂ、広告Ｃの３種類の電話帳広告が配信されることとなっており、３月２日の合計配信数は３となっている。
【０１１４】
次に電話帳サーバ１２、店舗端末１４Ａ及び携帯電話端末１７Ａの場合を例として、電話帳データの登録処理について説明する。
図４９は、実施形態のシーケンスフローチャート（その１）である。
図５０は、実施形態のシーケンスフローチャート（その２）である。
まず、店舗端末１４ＡのＭＰＵ５１は、データ定時取得時刻あるいはオペレータによりデータ取得指示がなされたか否かを判別する（ステップＳ７１）。この場合において、データ定時取得時刻は、予め店舗端末１４Ａにタイマとして設定されており、例えば、店舗Ａの営業開始直前の時刻などに設定されている。
ステップＳ７１の判別において、データ定時取得時刻あるいは店舗Ａの店員であるオペレータによりデータ取得指示がなされていない場合には、処理を後述のステップＳ７５に移行する。
【０１１５】
ステップＳ７１の判別において、データ定時取得時刻あるいはオペレータによりデータ取得指示がなされた場合には、通信インタフェース部５９及びインターネット１３を介して、電話帳サーバ１２にアクセスし、広告情報の受信要求を行う（ステップＳ７２）。
これにより電話帳サーバ１２のＭＰＵ４１は、広告情報の受信要求を受信すると、電話帳ＤＢ１１の広告テーブル２６を参照して、店舗Ａに設置された店舗端末１４Ａに対応する広告情報を抽出し、送信する（ステップＳ７３）。
店舗端末１４ＡのＭＰＵ５１は、電話帳サーバ１２から送信された広告情報を受信し、ＨＤＤ５７に格納する（ステップＳ７４）。
次にＭＰＵ５１は、直前に受信した広告情報あるいはデータ定時取得時刻でもなく、取得指示もなされていない場合には、ＨＤＤ５７に格納されていた広告情報を読み出し、表示する（ステップＳ７５）。
これに伴い、店舗Ａのオペレータは、顧客から預かったあるいは顧客に対して販売しようとする携帯電話端末１７Ａをケーブル１６Ａを介して店舗端末１４Ａに接続する（ステップＳ７６）。
【０１１６】
この場合において、接続した携帯電話端末１７Ａに登録する電話帳広告については、当該携帯電話端末１７Ａのユーザの選択あるいは希望、若しくは、当該携帯電話端末１７Ａに登録を行う店舗に応じて予め定めた条件で抽出した電話帳広告のみを登録するように構成することが可能である。
具体的には、後述するユーザ登録画面（図５１参照）において、ユーザに指定された郵便番号、ユーザに指定された市外局番、ユーザの住所、ユーザの住所に対応する緯度経度情報、ユーザの職場住所、当該ユーザの職場住所に対応する緯度経度情報、店舗端末１４Ａの設置住所、及び当該店舗端末１４Ａの設置住所に対応する緯度経度情報等に基づく、当該携帯電話端末１７Ａのユーザの住所あるいは生活エリア（勤務地など）に対応するサービスエリアを有する広告主の電話帳広告を登録し、あるいは、当該携帯電話端末１７Ａに登録を行う店舗の所在地に対応するサービスエリアを有する広告主の電話帳広告を登録するように構成することが可能である。
より詳細には、店舗端末１４Ａにおいて入力されたユーザデータ３１に相当するデータに基づいて、広告テーブル２６（図４参照）に格納された広告データ３６のうち、掲載期間（開始）フィールド３６Ｒ、掲載期間（終了）フィールド３６Ｓが実際の登録日時に対応し、かつ、削除フラグフィールド３６Ｕに基づいて削除がなされていない電話帳広告のうち、ユーザ端末１４ＡのＭＰＵ５１が電話帳広告あるいはブックマーク広告の配信対象に関する情報等が格納されたメモフィールド３６Ｌを参照して抽出した電話帳広告のみを登録することとなる。
【０１１７】
また、上述したように、本実施形態においては、携帯電話端末１７Ａのユーザの年齢、性別、職業、趣味、嗜好、健康に関する情報、財産に関する情報、家族構成に関する情報、及び血液型等の所望サービス特定情報を店舗端末１４Ａにおいて、登録してもらい、これらに対応するサービス、商品を提供可能な広告主の電話帳広告を登録するように構成することが可能である。
【０１１８】
図５１は、店舗端末１４Ａにおけるユーザ登録画面の一例の説明図である。
具体的には、図５１に示すように、ユーザ登録画面８０は、電話帳サーバ１２より各ユーザに割り当てられるユーザＩＤが表示されるユーザＩＤ表示領域７０１と、ユーザの氏名などのユーザ名称が入力されるユーザ名称入力ボックス７０２と、ユーザの住所の郵便番号が入力される郵便番号入力ボックス７０３と、ユーザの住所が入力される住所入力ボックス７０４と、ユーザの電話番号が入力される電話番号入力ボックス７０５と、ユーザのファクス番号が入力されるファックス番号入力ボックス７０６と、後述する定型キーワード入力操作部７０８を有し、ユーザが所望するサービスを特定するための所望サービス特定情報のうち、ユーザの年齢、性別、職業、血液型以外の所望サービス特定情報を入力するメモ入力ボックス７０７と、ユーザが所望するサービスを特定するための所望サービス特定情報を構成するユーザの年齢が入力される年齢入力ボックス７０９と、ユーザが所望するサービスを特定するための所望サービス特定情報を構成するユーザの性別が入力される性別入力ボックス７１０と、ユーザが所望するサービスを特定するための所望サービス特定情報を構成する血液型が入力される血液型入力ボックス７１１と、ユーザが所望するサービスを特定するための所望サービス特定情報を構成するユーザの職業が入力される職業入力ボックス７１２と、当該ユーザ登録情報が有効か否かを表すステータス情報を選択するステータスチェックボックス７１３と、入力したユーザ情報を電話帳サーバ１２に登録するための登録ボタン７１４と、入力したユーザ情報の電話帳サーバ１２への登録をキャンセルするキャンセルボタン７１５と、を備えている。
【０１１９】
ここで、各入力ボックスで入力されたデータは、ユーザテーブル２１（図４参照）に格納されるユーザデータ３１（図５参照）の対応する領域に格納されることとなるが、年齢入力ボックス７０９、性別入力ボックス７１０、血液型入力ボックス７１１及び職業入力ボックス７１２で入力されたデータは、各データを識別するための所定のパラメータ識別コードとともに、メモフィールド３１Ｊに格納されることとなる。
定型キーワード入力操作部７０８は、メモ入力ボックス７０７において、ユーザデータ３１のメモフィールド３１Ｊに入力すべき内容のうち、定型のキーワードで入力を行うための操作部である。すなわち、ユーザが所望するサービスを確実に特定し、ユーザが所望するサービスを提供するサービス提供者の電話帳広告あるいはブックマーク広告を抽出するために用いる、趣味や嗜好などを特定するためのキーワード（所望サービス特定情報）が予め電話帳サーバ１２側で設定されており、それらのキーワードのうちからユーザが任意に選択するように構成されている。
【０１２０】
具体的には、定型キーワード入力操作部７０８には、趣味に関連する定型キーワードを選択可能に表示する趣味定型キーワード表示選択ボタン７０８Ａ、嗜好に関連する定型キーワードを選択可能に表示する嗜好定型キーワード表示選択ボタン７０８Ｂなどの定型キーワード表示選択ボタンが複数配置されており、これらの定型キーワード表示選択ボタンをクリックすることにより、複数の定型キーワードがメモ入力ボックス７０７に重ねて表示されるダイアログボックス表示されるので、ダイアログボックス内に表示された複数の定型キーワードのうちから、一または複数の定型キーワードを選択し、入力することとなる。
例えば、趣味の定型キーワードとしては、「釣り」、「ドライブ」、「映画鑑賞」、「囲碁」、「スポーツ」、……のように複数のキーワードが選択可能に表示される。また、嗜好の定型キーワードとしては、「たばこ」、「酒」、「茶」、「コーヒー」、「イタリア料理」、「エスニック料理」、……のように複数のキーワードが選択可能に表示される。
そして、これらのキーワードは、選択されて、入力されるとユーザの所望サービス特定情報としてユーザデータ３１のメモフィールド３１Ｊに格納され、広告テーブル２６のメモフィールド３６Ｌに格納された電話帳広告あるいはブックマーク広告の配信対象に関する情報と比較参照されて、実際に配信される電話帳広告あるいはブックマーク広告が抽出されることとなる。
【０１２１】
そして、携帯電話端末１７Ａをケーブル１６Ａを介して店舗端末１４Ａに接続され、かつ、上述したユーザ登録がなされると、店舗端末１４ＡのＭＰＵ５１は、携帯電話端末１７Ａを認識し、当該携帯電話端末１７Ａの通信キャリアに対応する広告を店舗端末１４Ａのディスプレイ５５の画面上に表示する（ステップＳ７７）。
続いて店舗端末１４ＡのＭＰＵ５１は、ケーブル１６Ａを介して、携帯電話端末１７Ａに対する電話帳広告の書き込み及び携帯電話端末１７Ａから当該携帯電話端末１７Ａを特定するための情報としての端末固有のユーザＩＤ（例えば、ＵＩＤ、サブスクライバＩＤ）を取得し、認証を行う（ステップＳ７８）。
これにより、携帯電話端末１７Ａは、端末認証画面を図示しない携帯電話端末１７Ａのディスプレイに表示するとともに（ステップＳ７９）、電話帳広告の書き込み中においては、電話帳更新中画面を表示する（ステップＳ８０）。
そして、電話帳広告の書込完了時には、携帯電話端末１７Ａのディスプレイ５５に完了画面が表示されることとなる（ステップＳ８１）。
【０１２２】
これに伴って、店舗端末１４ＡのＭＰＵ５１は、ディスプレイ４５に電話帳広告の書込完了通知を表示する（ステップＳ８２）。
続いて、店舗端末１４ＡのＭＰＵ５１は、電話帳データの書き込み成果を、電話帳サーバ１２に送信する（ステップＳ８３）。この場合において、書き込み成果には、書き込みを行った全ての電話帳広告ＩＤ、ユーザ登録に対応するユーザＩＤ、端末固有のユーザＩＤ（例えば、ＵＩＤ、サブスクライバＩＤ）、店舗ＩＤ、登録日時に関するデータなどが含まれる。
これにより、電話帳サーバ１２は、電話帳データの書き込み成果を受信することとなる（ステップＳ８５：図５０参照）。
この場合において、電話帳広告を配信した携帯電話端末１７を特定して電話帳広告データの書き込みを行ったことを明確にするために、ステップＳ７８において携帯電話端末１７Ａから取得したユーザＩＤを含めて電話帳データの書き込み成果として送信することとなる。
次に、店舗端末１４ＡのＭＰＵ５１は、携帯電話端末１７Ａの通信キャリアに対応するブックマーク広告を店舗端末１４Ａのディスプレイ５５の画面上に表示する（ステップＳ８４）。
【０１２３】
続いて店舗端末１４ＡのＭＰＵ５１は、ケーブル１６Ａを介して、携帯電話端末１７Ａに対するブックマーク広告の書き込み及び携帯電話端末１７Ａから当該携帯電話端末１７Ａを特定するための情報としての端末固有のユーザＩＤを取得し、認証を行う（ステップＳ８６）。
この場合においても、電話帳広告と同様に接続した携帯電話端末１７Ａに登録するブックマーク広告については、当該携帯電話端末１７Ａのユーザの選択あるいは希望（例えば、趣味や嗜好などを特定するためのキーワードに基づく）、若しくは、当該携帯電話端末１７Ａに登録を行う店舗に応じて予め定めた条件で抽出したブックマーク広告のみを登録するように構成することが可能である。
具体的には、当該携帯電話端末１７Ａのユーザの住所あるいは生活エリア（勤務地など）に対応するサービスエリアを有する広告主のブックマーク広告を登録したり、当該携帯電話端末１７Ａに登録を行う店舗の所在地に対応するサービスエリアを有する広告主のブックマーク広告を登録するようにしたり、携帯電話端末１７Ａのユーザの年齢、性別、職業、趣味、嗜好、健康に関する情報、財産に関する情報、家族構成に関する情報、及び血液型等の所望サービス特定情報を店舗端末１４Ａにおいて、登録してもらい、これらに対応するサービス、商品を提供可能な広告主のブックマーク広告を登録するようにしたりすることが可能である。
【０１２４】
これにより、携帯電話端末１７Ａは、端末認証画面を図示しない携帯電話端末１７Ａのディスプレイに表示するとともに（ステップＳ８７）、ブックマーク広告データの書き込み中においては、電話帳更新中画面を表示する（ステップＳ８８）。
そして、ブックマーク広告の書込完了時には、携帯電話端末１７Ａのディスプレイ５５に完了画面が表示されることとなる（ステップＳ８９）。
これに伴って、店舗端末１４ＡのＭＰＵ５１は、ディスプレイ４５にブックマーク広告データの書込完了通知を表示する（ステップＳ９０）。
続いて、店舗端末１４ＡのＭＰＵ５１は、ブックマーク広告データの書き込み成果を、電話帳サーバ１２に送信する（ステップＳ９１）。この場合において、書き込み成果には、書き込みを行った全てのブックマーク広告ＩＤ、ユーザ登録に対応するユーザＩＤ、端末固有のユーザＩＤ（例えば、ＵＩＤ、サブスクライバＩＤ）、店舗ＩＤ、登録日時に関するデータなどが含まれる。
これにより、電話帳サーバ１２のＭＰＵ５１は、ブックマーク広告データの書き込み成果を受信し（ステップＳ９２）、電話帳広告データ及びブックマーク広告の配信にかかる成果集計を行う（ステップＳ９３）。
【０１２５】
この成果集計においては、広告主毎に、電話帳広告データあるいはブックマーク広告データの配信結果を携帯電話の通信キャリア毎に集計している。この際に、電話帳広告データあるいはブックマーク広告データに複数の広告データが含まれている場合には、それぞれの広告データについての配信結果を携帯電話の通信キャリア毎に集計している。
続いて、電話帳サーバ１２のＭＰＵ５１は、ステップＳ９３の集計結果に基づいて、広告主レポートをディスプレイ４５に表示し（ステップＳ９４）、この広告主レポートに基づいて課金処理を行うこととなる。
このように、電話帳サーバ１２は、電話番号あるいはネットワークアドレス（ＵＲＬなど）の登録後に、店舗端末１４Ａから送信される端末固有識別子（ＵＩＤなど）を含む成果報告に基づいてサービス提供者である広告主に対応する電話番号あるいはネットワークアドレスの登録が行われたものとして、課金処理を行うので、確実に課金が行えることとなるとともに、広告主も実際に広告がなされて、電話番号などが登録されたことを確認することができる。
【０１２６】
図５２は、広告主別レポート画面の説明図である。
広告主別レポート画面６０ｃは、図５２に示すように、上部に広告主検索入力領域４８０が配置され、下部には広告成果一覧リスト表示領域４８１が設けられている。
【０１２７】
広告主検索入力領域４８０には、広告主を選択入力する広告主入力ボックス４８２と、電話帳広告あるいはブックマーク広告の名称を入力する名称入力ボックス４８３と、広告の種別（電話帳又はブックマーク）をチェック可能に入力するための広告種別チェックボックス４８４と、電話帳広告あるいはブックマーク広告の配信日を入力する配信日入力ボックス４８５と、検索開始を指示する検索ボタン４８６と、が配置されている。
上記構成において、広告種別チェックボックス４８４においては、電話帳広告あるいはブックマーク広告のいずれか一方を選択可能としているが、双方を選択して、電話帳広告及びブックマーク広告の広告効果を表示するように構成することも可能である。
【０１２８】
広告成果一覧リスト表示領域４８１には、広告テーブル２６を参照して電話帳広告あるいはブックマーク広告の広告成果一覧が表示され、電話帳広告あるいはブックマーク広告の広告主を表示する広告主表示領域４８７と、電話帳広告あるいはブックマーク広告の広告名を表示する広告名表示領域と、携帯電話の通信キャリア毎に電話帳広告あるいはブックマーク広告の配信件数を表示する配信件数表示領域４８９と、を備えている。
この配信件数表示領域４８９は、第１の通信キャリア（図５２中、「キャリア１」と示す）に対する電話帳広告あるいはブックマーク広告の配信数を表示する第１キャリア配信件数表示領域４９０と、第２の通信キャリア（図５２中、「キャリア２」と示す）に対する電話帳広告あるいはブックマーク広告の配信数を表示する第２キャリア配信件数表示領域４９１と、第３の通信キャリア（図５２中、「キャリア３」と示す）に対する電話帳広告あるいはブックマーク広告の配信数を表示する第３キャリア配信件数表示領域４９２と、を備えている。
【０１２９】
以上の説明は、広告主別レポート画面を自動的に表示する場合のものであったが、広告主別レポートボタン７３をクリックすることでいつでも広告主別レポート画面６０ｃを表示することが可能である。この場合には、当該クリック時点までの集計結果が表示されることとなる。
この広告主別レポートによれば、広告主毎に実際に電話帳広告あるいはブックマーク広告が携帯電話にどの程度配信（登録）されたのかを容易に把握することができ、広告主における費用対効果比を容易に把握することが可能となる。
そして、具体的な課金処理としては、広告主毎に第１キャリア配信件数表示領域４９０に表示された配信件数、第２キャリア配信件数表示領域４９１に表示された配信件数、第３キャリア配信件数表示領域４９２に表示された配信件数の合計の配信件数に応じて各広告主に課金を行うこととなる。なお、以上の説明は、キャリアが異なっても登録委託費用が同一の場合の説明であるが、キャリア毎に登録委託費用が異なる場合や、配信件数に応じて登録委託費用が段階的に変化する場合には、これらを考慮して広告主への課金を行うこととなる。
【０１３０】
続いて、電話帳サーバ１２のＭＰＵ５１は、ステップＳ９３の集計結果に基づいて、支払先別レポートをディスプレイ４５に表示し（ステップＳ９５）、この支払先別レポートに基づいて登録委託費用の支払い管理を行うこととなる。
このように、電話帳サーバ１２は、電話番号あるいはネットワークアドレス（ＵＲＬなど）の登録後に、店舗端末１４Ａから送信される端末固有識別子（ＵＩＤなど）を含む成果報告に基づいて店舗端末を管理している支払先への登録委託費用の支払い管理を行うので、確実に支払先への支払いが行えるとともに、支払先も支払われた登録委託費用の額を手元のデータと比較することができる。
【０１３１】
図５３は、支払先別レポート画面の説明図である。
広告主別レポート画面６０ｃは、図５３に示すように、上部に支払先検索入力領域５００が配置され、下部には広告成果一覧リスト表示領域５０１が設けられている。
【０１３２】
支払先検索入力領域５００には、支払先を選択入力する支払先入力ボックス５０２と、店舗ＩＤを入力する店舗ＩＤ入力ボックス５０３と、電話帳広告あるいはブックマーク広告の名称を入力する名称入力ボックス５０４と、広告の種別（電話帳又はブックマーク）をチェック可能に入力するための広告種別チェックボックス５０５と、電話帳広告あるいはブックマーク広告の配信日を入力する配信日入力ボックス５０６と、検索開始を指示する検索ボタン５０７と、が配置されている。
上記構成において、広告種別チェックボックス５０５においては、電話帳広告あるいはブックマーク広告のいずれか一方を選択可能としているが、双方を選択して、電話帳広告及びブックマーク広告の広告効果を表示するように構成することも可能である。
【０１３３】
広告成果一覧リスト表示領域５０１には、広告テーブル２６を参照して電話帳広告あるいはブックマーク広告の広告成果一覧が表示され、電話帳広告あるいはブックマーク広告を携帯電話端末に対して登録を行った報酬の支払先を表示する支払先表示領域５０８と、支払先に対応する店舗ＩＤを表示する店舗ＩＤ表示領域５０９と、当該支払先に対応する店舗であって、電話帳広告あるいはブックマーク広告を携帯電話端末に対して実際に登録を行った店舗の名称を表示する店舗表示領域５１０と、携帯電話端末に登録した電話帳広告あるいはブックマーク広告の広告名を表示する広告名表示領域５１１と、携帯電話の通信キャリア毎に電話帳広告あるいはブックマーク広告の配信件数を表示する配信件数表示領域５１２と、を備えている。
【０１３４】
この配信件数表示領域５１２は、第１の通信キャリア（図５３中、「キャリア１」と示す）に対する電話帳広告あるいはブックマーク広告の配信数を表示する第１キャリア配信件数表示領域５１３と、第２の通信キャリア（図５３中、「キャリア２」と示す）に対する電話帳広告あるいはブックマーク広告の配信数を表示する第２キャリア配信件数表示領域５１４と、第３の通信キャリア（図５３中、「キャリア３」と示す）に対する電話帳広告あるいはブックマーク広告の配信数を表示する第３キャリア配信件数表示領域５１５と、を備えている。
【０１３５】
以上の説明は、支払先別レポート画面を自動的に表示する場合のものであったが、支払先別レポートボタン７４をクリックすることでいつでも支払先別レポート画面６０ｄを表示することが可能である。この場合には、当該クリック時点までの集計結果が表示されることとなる。
この支払先別レポートによれば、実際に電話帳広告あるいはブックマーク広告を携帯電話に配信（登録）を行った店舗を一または複数の経営を行っている企業などの支払先毎に、携帯電話端末への配信数（登録数）を容易に把握でき、広告主における費用対効果比を容易に把握することが可能となる。
【０１３６】
そして、具体的な支払先への支払い処理としては支払先毎に第１キャリア配信件数表示領域５１３に表示された配信件数、第２キャリア配信件数表示領域５１４に表示された配信件数、第３キャリア配信件数表示領域５１５に表示された配信件数の合計の配信件数に応じて各支払先に登録委託費用の支払いを行うこととなる。なお、以上の説明は、キャリアが異なっても登録委託費用が同一の場合の説明であるが、キャリア毎に登録委託費用が異なる場合や、配信件数に応じて登録委託費用が段階的に変化する場合には、これらを考慮して登録委託費用の支払いを行うこととなる。
続いて、電話帳サーバ１２のＭＰＵ５１は、ステップＳ９３の集計結果に基づいて、支払先別レポートをディスプレイ４５に表示し（ステップＳ９５）、この支払先別レポートに基づいて登録委託費用の支払い管理を行うこととなる。
【０１３７】
より詳細には、支払先毎に第１キャリア配信件数表示領域４９０に表示された配信件数、第２キャリア配信件数表示領域４９１に表示された配信件数、第３キャリア配信件数表示領域４９２に表示された配信件数の合計の配信件数に応じて各支払先に登録委託費用の支払いを行うこととなる。なお、以上の説明は、キャリアが異なっても登録委託費用が同一の場合の説明であるが、キャリア毎に登録委託費用が異なる場合や、配信件数に応じて登録委託費用が段階的に変化する場合には、これらを考慮して登録委託費用の支払いを行うこととなる。
【０１３８】
次に実際にデータを登録した携帯電話端末の操作について説明する。
まず、電話番号のデータである電話帳広告が登録されている場合について説明する。
図５４は、データ登録後の携帯電話端末の検索画面の説明図である。
以上の説明では、電話帳広告はそれぞれ別個に扱うように説明していたが、図５５においては、電話帳広告についてユーザの操作を容易にするため、従来よりある携帯電話端末１７Ａの電話番号グループ管理の機能を利用した場合について説明する。
予め電話帳サーバ１２から配信対象の複数の電話帳広告に対応する電話番号についてグループ名（図５５では、グループ名「便利電話帳」）を割り当てて配信した場合の例について説明する。
【０１３９】
データが登録された携帯電話端末１７Ａのディスプレイ６００には、電話番号のグループ検索画面が表示されており、本実施携帯において登録された電話番号は「便利電話帳」グループに登録されており、カーソルキー６０２〜６０５を操作して符号６０１で示す位置までカーソルを移動させ、確定キー６０６を操作して、確定させると「便利電話帳」グループに移行する。
【０１４０】
図５５は、画面移行後の携帯電話端末の画面説明図である。
ユーザは、グループ検索で「便利電話帳」グループを検索し、表示させることで、ディスプレイ６００には、当該「便利電話帳」グループに属する電話番号に対応する名称が表示される。ここで、電話番号に対応する名称は、広告名称フィールド３６Ｃに格納された広告名称が表示される。
したがって、カーソルキー６０２〜６０５を操作して所望の名称位置（例えば、「鍵紛失・故障は□□」）までカーソルを移動させ、確定キー６０６を操作することにより、広告テーブル２６の当該携帯電話端末１７Ａに登録された実際のサービス提供者名及び電話番号が表示されて、発呼が可能な状態となる。
この場合において、表示される電話番号は、１業種１社とすることで、ユーザは迷うことなく、当該表示された電話番号に発呼することができる。なお、１業種複数社とすることも可能である。
【０１４１】
次にネットワークアドレスのデータであるブックマーク広告のデータが登録されている場合について説明する。
図５６は、ブックマークグループ選択画面の画面説明図である。
ブックマーク広告は、ブックマークグループとして管理されており、図５６に示すように、ユーザが携帯電話端末１７Ａを操作し、ブックマークグループ選択画面を表示させることができる。
これにより、ディスプレイ６００には、複数のブックマークグループの名称が表示される。ここで、ブックマークグループに対応する名称は、名称フィールド３５Ｂ（図９に格納されたブックマークグループの名称が表示される。
【０１４２】
したがって、カーソルキー６０２〜６０５を操作して所望の名称位置、具体的には、例えば、カーソルＣＵを「緊急関係」のブックマークグループの名称が表示されている位置まで移動させ、確定キー６０６を操作することにより、当該「緊急関係」のブックマークグループに属するブックマーク広告の一覧が表示される。
【０１４３】
図５７は、ブックマーク広告の一覧の表示説明図である。
ユーザがカーソルＣＵを「緊急関係」のブックマークグループの名称が表示されている位置まで移動させ、確定キー６０６を操作すると、ディスプレイ６００には、「緊急関係」のブックマークグループに属するネットワークアドレスに対応する名称が表示される。ここで、ネットワークアドレスに対応する名称としては、広告名称フィールド３６Ｃに格納された広告名称が表示される。
【０１４４】
より詳細には、図５７に示すように、カーソルキー６０２〜６０５を操作して所望の名称位置（例えば、「ガス漏れは○○」）までカーソルを移動させ、確定キー６０６を操作することにより、広告テーブル２６の当該携帯電話端末１７Ａに登録された実際のサービス提供者名及びネットワークアドレスが表示されて、インターネットを介してサービス提供者のホームページなどへアクセスすることが可能な状態となる。
この場合においても、表示されるネットワークアドレス（ＵＲＬ）、１業種１社とすることで、ユーザは迷うことなく、当該表示されたネットワークアドレスにアクセスすることができる。なお、１業種複数社とすることも可能である。
【０１４５】
以上の説明のように、本実施形態によれば、各ユーザがそれぞれ登録を行うことなく、トラブル発生時などに必要となるサービスを提供してくれるサービス提供者（業者など）に対して、迅速かつ確実に連絡（電話連絡、ホームページを介した連絡［メールも含む］）を取ることが可能となる。
【０１４６】
以上の説明においては、ブックマークグループは、サービス提供者のネットワークアドレス（ＵＲＬ）に対応するブックマーク広告をグループ分けするために用いていたが、サービス提供者の電話番号に対応する電話帳広告を含めてブックマークグループにグループ分けするように構成することも可能である。
【０１４７】
具体的には、例えば、広告データ３６のグループフィールド３６Ｑに格納されたブックマークグループ名称にブックマーク広告及び電話帳広告の双方を対応づけるようにすればよい。また、ブックマークグループに電話帳広告のみを対応づけたりすることも可能である。さらにまた、電話帳広告のみを対応づけたブックマークグループと、ブックマーク広告のみを対応づけたブックマークグループと、ブックマーク広告及び電話帳広告の双方を対応づけたブックマークグループと、を混在するように構成することも可能である。
【符号の説明】
【０１４８】
１０  電話帳登録システム（情報配信システム）
１１  電話帳ＤＢ
１２  電話帳サーバ（サーバ）
１３  インターネット（通信ネットワーク）
１４Ａ、１４Ｂ  店舗端末
１５  店舗端末
１７Ａ〜１７Ｃ  携帯電話端末
４１、５１  ＭＰＵユーザＰＣ端末（発注端末）
【図１】
2011254401.tif 000003
【図２】
2011254401.tif 000004
【図３】
2011254401.tif 000005
【図４】
2011254401.tif 000006
【図５】
2011254401.tif 000007
【図６】
2011254401.tif 000008
【図７】
2011254401.tif 000009
【図８】
2011254401.tif 000010
【図９】
2011254401.tif 000011
【図１０】
2011254401.tif 000012
【図１１】
2011254401.tif 000013
【図１２】
2011254401.tif 000014
【図１３】
2011254401.tif 000015
【図１４】
2011254401.tif 000016
【図１５】
2011254401.tif 000017
【図１６】
2011254401.tif 000018
【図１７】
2011254401.tif 000019
【図１８】
2011254401.tif 000020
【図１９】
2011254401.tif 000021
【図２０】
2011254401.tif 000022
【図２１】
2011254401.tif 000023
【図２２】
2011254401.tif 000024
【図２３】
2011254401.tif 000025
【図２４】
2011254401.tif 000026
【図２５】
2011254401.tif 000027
【図２６】
2011254401.tif 000028
【図２７】
2011254401.tif 000029
【図２８】
2011254401.tif 000030
【図２９】
2011254401.tif 000031
【図３０】
2011254401.tif 000032
【図３１】
2011254401.tif 000033
【図３２】
2011254401.tif 000034
【図３３】
2011254401.tif 000035
【図３４】
2011254401.tif 000036
【図３５】
2011254401.tif 000037
【図３６】
2011254401.tif 000038
【図３７】
2011254401.tif 000039
【図３８】
2011254401.tif 000040
【図３９】
2011254401.tif 000041
【図４０】
2011254401.tif 000042
【図４１】
2011254401.tif 000043
【図４２】
2011254401.tif 000044
【図４３】
2011254401.tif 000045
【図４４】
2011254401.tif 000046
【図４５】
2011254401.tif 000047
【図４６】
2011254401.tif 000048
【図４７】
2011254401.tif 000049
【図４８】
2011254401.tif 000050
【図４９】
2011254401.tif 000051
【図５０】
2011254401.tif 000052
【図５１】
2011254401.tif 000053
【図５２】
2011254401.tif 000054
【図５３】
2011254401.tif 000055
【図５４】
2011254401.tif 000056
【図５５】
2011254401.tif 000057
【図５６】
2011254401.tif 000058
【図５７】
2011254401.tif 000059